(57)【要約】【課題】通信リソースを効率よく使用すること。【解決手段】移動端末１１０は、第１周波数帯域のセルと、第１周波数帯域とは異なる第２周波数帯域のセルであって第１周波数帯域のセルより範囲が狭いセルと、を同時に用いて無線信号を受信可能である。移動端末１１０は、移動端末１１０への電源供給の有無および自端末の電池残量の少なくとも一方を示す状態情報を送信する。制御装置１２１は、基地局１２０から移動端末１１０へ送信する無線信号に通信リソースを割り当てる。制御装置１２１は、移動端末１１０によって送信された状態情報に応じて、第１周波数帯域および第２周波数帯域を無線信号に割り当てる第１割当処理と、第１周波数帯域および第２周波数帯域の一方を無線信号に割り当てる第２割当処理と、を切り替える。【選択図】図１−２
2014183409.tif 000002
【特許請求の範囲】
【請求項１】
第１周波数帯域のセルと、前記第１周波数帯域とは異なる第２周波数帯域のセルであって前記第１周波数帯域のセルより範囲が狭いセルと、を同時に用いて無線信号を受信可能であり、自端末への電源供給の有無および自端末の電池残量の少なくとも一方を示す状態情報を送信する移動端末と、
基地局が前記移動端末へ送信する無線信号に通信リソースを割り当て、前記移動端末によって送信された状態情報に応じて、前記第１周波数帯域および前記第２周波数帯域を前記無線信号に割り当てる第１割当処理と、前記第１周波数帯域および前記第２周波数帯域の一方を前記無線信号に割り当てる第２割当処理と、を切り替える制御装置と、
を含むことを特徴とする通信システム。
【請求項２】
前記移動端末は、前記基地局から自端末への送信を要求するデータ量を示す前記状態情報を送信し、
前記制御装置は、前記電源供給の有無および前記電池残量の少なくともいずれかに応じて、所定データ量を上限とする割当処理と、前記移動端末によって送信された前記状態情報が示すデータ量に応じて前記所定データ量を超える割り当てが可能な割当処理と、を切り替える、
ことを特徴とする請求項１に記載の通信システム。
【請求項３】
前記移動端末は、自端末の移動速度を示す前記状態情報を送信し、
前記制御装置は、前記移動端末によって送信された前記状態情報が示す移動速度に応じて前記第１周波数帯域と前記第２周波数帯域との比率が異なるように前記無線信号に通信リソースを割り当てる、
ことを特徴とする請求項１または２に記載の通信システム。
【請求項４】
第１周波数帯域のセルと、前記第１周波数帯域とは異なる第２周波数帯域のセルであって前記第１周波数帯域のセルより範囲が狭いセルと、を同時に用いて無線信号を受信可能な移動端末が、自端末への電源供給の有無および自端末の電池残量の少なくとも一方を示す状態情報を送信し、
基地局が前記移動端末へ送信する無線信号に通信リソースを割り当てる制御装置が、前記移動端末によって送信された状態情報に応じて、前記第１周波数帯域および前記第２周波数帯域を前記無線信号に割り当てる第１割当処理と、前記第１周波数帯域および前記第２周波数帯域の一方を前記無線信号に割り当てる第２割当処理と、を切り替える、
ことを特徴とする通信方法。
【請求項５】
自端末への電源供給の有無および自端末の電池残量の少なくとも一方を検出する検出部と、
前記検出部による検出結果を示す状態情報を、基地局が自端末へ送信する無線信号に通信リソースを割り当てる制御装置へ送信する送信部と、
第１周波数帯域のセルと、前記第１周波数帯域とは異なる第２周波数帯域のセルであって前記第１周波数帯域のセルより範囲が狭いセルと、を同時に用いて無線信号を受信可能であり、前記送信部によって送信された状態情報に応じて前記制御装置によって割り当てられた通信リソースによって前記基地局から送信された無線信号を受信する受信部と、
を備えることを特徴とする移動端末。
【請求項６】
第１周波数帯域のセルと、前記第１周波数帯域とは異なる第２周波数帯域のセルであって前記第１周波数帯域のセルより範囲が狭いセルと、を同時に用いて無線信号を受信可能な移動端末から、前記移動端末への電源供給の有無および前記移動端末の電池残量の少なくとも一方を示す状態情報を受信する受信部と、
基地局が前記移動端末へ送信する無線信号に通信リソースを割り当て、前記受信部によって受信された状態情報に応じて、前記第１周波数帯域および前記第２周波数帯域を前記無線信号に割り当てる第１割当処理と、前記第１周波数帯域および前記第２周波数帯域の一方を前記無線信号に割り当てる第２割当処理と、を切り替える割当部と、
を備えることを特徴とする制御装置。
【発明の詳細な説明】
【技術分野】
【０００１】
本発明は、通信システム、通信方法、移動端末および制御装置に関する。
【背景技術】
【０００２】
従来、移動体通信方式としてＬＴＥ（Ｌｏｎｇ  Ｔｅｒｍ  Ｅｖｏｌｕｔｉｏｎ）やＬＴＥ−Ａ（ＬＴＥ−Ａｄｖａｎｃｅｄ）が知られている。ＬＴＥやＬＴＥ−Ａにおいては、たとえばＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ：直交周波数分割多重接続）が用いられる。
【０００３】
また、ＬＴＥ−Ａにおいては、複数のコンポーネントキャリア（ＣＣ：Ｃｏｍｐｏｎｅｎｔ  Ｃａｒｒｉｅｒ）を束ねて使用するキャリアアグリゲーション（ＣＡ：Ｃａｒｒｉｅｒ  Ａｇｇｒｅｇａｔｉｏｎ）が用いられる。キャリアアグリゲーションにおいては、たとえば、プライマリセル（主セル）およびセカンダリセル（副セル）が選択される。また、各セルの移動端末における受信品質に基づいて通信リソースの割り当てが行われる。
【０００４】
また、端末の利用可能な電力が変化したときに、端末側からネットワーク側に変化を通知する技術が知られている（たとえば、下記特許文献１参照。）。また、チャネル品質に基づくキャリアアグリゲーションの技術が知られている（たとえば、下記特許文献２参照。）。また、カバレッジエリアの広さが異なる各キャリアを同時に用いるキャリアアグリゲーションの技術が知られている（たとえば、下記特許文献３参照。）。
【先行技術文献】
【特許文献】
【０００５】
【特許文献１】特開２００９−１６５１３２号公報
【特許文献２】特開２０１２−０４４６６３号公報
【特許文献３】特開２０１１−１４２５９６号公報
【発明の概要】
【発明が解決しようとする課題】
【０００６】
しかしながら、上述した従来技術では、たとえば移動端末における受信品質に基づいて通信リソースを割り当てても、移動端末の状態によっては通信リソースを効率よく使用することができないという問題がある。
【０００７】
本発明は、上述した従来技術による問題点を解消するため、通信リソースを効率よく使用することができる通信システム、通信方法、移動端末および制御装置を提供することを目的とする。
【課題を解決するための手段】
【０００８】
上述した課題を解決し、目的を達成するため、本発明の一側面によれば、第１周波数帯域のセルと、前記第１周波数帯域とは異なる第２周波数帯域のセルであって前記第１周波数帯域のセルより範囲が狭いセルと、を同時に用いて無線信号を受信可能な移動端末が、自端末への電源供給の有無および自端末の電池残量の少なくとも一方を示す状態情報を送信し、基地局が前記移動端末へ送信する無線信号に通信リソースを割り当てる制御装置が、前記移動端末によって送信された状態情報に応じて、前記第１周波数帯域および前記第２周波数帯域を前記無線信号に割り当てる第１割当処理と、前記第１周波数帯域および前記第２周波数帯域の一方を前記無線信号に割り当てる第２割当処理と、を切り替える通信システム、通信方法、移動端末および制御装置が提案される。
【発明の効果】
【０００９】
本発明の一側面によれば、通信リソースを効率よく使用することができるという効果を奏する。
【図面の簡単な説明】
【００１０】
【図１−１】図１−１は、実施の形態１にかかる通信システムの一例を示す図である。
【図１−２】図１−２は、図１−１に示した通信システムにおける信号の流れの一例を示す図である。
【図１−３】図１−３は、移動端末が無線信号の受信に使用可能なセルの一例である。
【図２】図２は、キャリアアグリゲーションの一例を示す図である。
【図３】図３は、下り物理チャネルのフレームマッピングの一例を示す図である。
【図４】図４は、移動端末とネットワークとの間のメッセージフローの一例を示すシーケンス図である。
【図５】図５は、チェック対象のイベント群の一例を示す図である。
【図６】図６は、ＥｖｅｎｔＳ１の報告動作の一例を示すフローチャートである。
【図７−１】図７−１は、ＥｖｅｎｔＳ１の報告情報の一例を示す図である。
【図７−２】図７−２は、電源供給情報の一例を示す図である。
【図７−３】図７−３は、電池残量情報の一例を示す図である。
【図７−４】図７−４は、移動速度情報の一例を示す図である。
【図７−５】図７−５は、下り要求スループット情報の一例を示す図である。
【図８】図８は、ＥｖｅｎｔＳ１の報告およびリソース割当のプロトコルフローの一例を示すシーケンス図である。
【図９−１】図９−１は、基地局から移動端末へ送信される信号のタイミングの一例を示す図である。
【図９−２】図９−２は、移動端末から基地局へ送信される信号のタイミングの一例を示す図である。
【図１０】図１０は、ＣＱＩテーブルの一例を示す図である。
【図１１】図１１は、システム帯域を分割したサブバンドの一例を示す図である。
【図１２】図１２は、カテゴリの判定処理の一例を示すフローチャートである。
【図１３】図１３は、リソース割当処理の一例を示すフローチャートである。
【図１４−１】図１４−１は、実施の形態１にかかる移動端末の構成の一例を示す図である。
【図１４−２】図１４−２は、図１４−１に示した移動端末の構成における信号の流れの一例を示す図である。
【図１５】図１５は、下り要求スループットの検出の一例を示す図である。
【図１６−１】図１６−１は、実施の形態１にかかる基地局の構成の一例を示す図である。
【図１６−２】図１６−２は、図１６−１に示した基地局の構成における信号の流れの一例を示す図である。
【図１７】図１７は、実施の形態２にかかる移動端末が送信する報告情報の一例を示す図である。
【図１８】図１８は、カテゴリ情報の一例を示す図である。
【図１９】図１９は、カテゴリの報告およびリソース割当のプロトコルフローの一例を示すシーケンス図である。
【図２０−１】図２０−１は、実施の形態２にかかる移動端末の構成の一例を示す図である。
【図２０−２】図２０−２は、図２０−１に示した移動端末の構成における信号の流れの一例を示す図である。
【図２１−１】図２１−１は、実施の形態２にかかる基地局の構成の一例を示す図である。
【図２１−２】図２１−２は、図２１−１に示した基地局の構成における信号の流れの一例を示す図である。
【発明を実施するための形態】
【００１１】
以下に図面を参照して、本発明にかかる通信システム、通信方法、移動端末および制御装置の実施の形態を詳細に説明する。
【００１２】
（実施の形態１）
図１−１は、実施の形態１にかかる通信システムの一例を示す図である。図１−２は、図１−１に示した通信システムにおける信号の流れの一例を示す図である。図１−３は、移動端末が無線信号の受信に使用可能なセルの一例である。
【００１３】
図１−１，図１−２に示すように、実施の形態１にかかる通信システム１００は、移動端末１１０と、基地局１２０と、制御装置１２１と、を含む。移動端末１１０は、基地局１２０との間で無線通信を行う。基地局１２０は、複数の基地局であってもよい。制御装置１２１は、基地局１２０に設けられた装置であってもよいし、基地局１２０の外部に設けられ、基地局１２０と通信可能な装置であってもよい。
【００１４】
図１−３に示すセル１３１，１３２およびセル群１３３は、移動端末１１０が無線信号の受信に使用可能なセルである。セル１３１，１３２は、第１周波数帯域ｂ１を使用するセルである。セル群１３３は、第１周波数帯域ｂ１と異なる第２周波数帯域ｂ２を使用する各セルである。また、図１−３に示すように、セル群１３３の各セルは、セル１３１，１３２の少なくともいずれかと重複し、セル１３１，１３２より範囲（カバーエリア）が狭いセルである。
【００１５】
第２周波数帯域ｂ２のセルは第１周波数帯域ｂ１のセルより範囲が狭いセルであるため、移動端末１１０が高速に移動すると、第１周波数帯域ｂ１のセルに比べて第２周波数帯域ｂ２のセルは通信品質が頻繁に劣化し、たとえば通信が頻繁に途切れる。
【００１６】
図１−１，図１−２に示すように、移動端末１１０は、検出部１１１と、送信部１１２と、受信部１１３と、を備える。検出部１１１は、移動端末１１０（自端末）の状態を検出する。検出部１１１によって検出される移動端末１１０の状態には、たとえば移動端末１１０への電源供給の有無および移動端末１１０の電池残量の少なくとも一方が含まれる。検出部１１１は、検出の結果を示す状態情報を送信部１１２へ出力する。
【００１７】
送信部１１２は、検出部１１１から出力された状態情報を制御装置１２１へ送信する。たとえば、制御装置１２１が基地局１２０に設けられている場合は、送信部１１２は状態情報を基地局１２０へ送信する。また、制御装置１２１が基地局１２０の外部に設けられている場合は、送信部１１２は状態情報を、基地局１２０を介して制御装置１２１へ送信する。送信部１１２による状態情報の送信には、たとえば制御チャネルが用いられる。
【００１８】
受信部１１３は、基地局１２０からのダウンリンクの無線信号を受信する。また、受信部１１３は、図１−３に示す、第１周波数帯域ｂ１のセル（たとえばセル１３１，１３２のいずれか）と、第２周波数帯域ｂ２のセル（たとえばセル群１３３のいずれか）と、を同時に用いて無線信号を受信可能である。
【００１９】
また、受信部１１３は、送信部１１２によって送信された状態情報に応じて制御装置１２１によって割り当てられた通信リソースによって、基地局１２０からの無線信号を受信する。たとえば、受信部１１３は、制御装置１２１による通信リソースの割当結果を基地局１２０から受信し、受信した割当結果に基づいて基地局１２０からの無線信号を受信する。受信部１１３による割当結果の受信には、たとえば制御チャネルが用いられる。
【００２０】
また、移動端末１１０は、第１周波数帯域ｂ１および第２周波数帯域ｂ２の各セル（セクタも含む）について受信品質の測定を行う。移動端末１１０による受信品質の測定は、たとえば各セルのパスロスを測定するセルサーチである。移動端末１１０によって測定される受信品質には、たとえばＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）やＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ：搬送波レベル対干渉雑音比）などがある。移動端末１１０は、受信品質の測定の結果を含む情報を制御装置１２１へ無線送信する。制御装置１２１は、移動端末１１０からの受信品質の測定の結果と、移動端末１１０からの状態情報と、に基づいてリソース割当を行う。
【００２１】
制御装置１２１は、受信部１２２と、割当部１２３と、を備える。受信部１２２は、移動端末１１０から送信された状態情報を受信する。そして、受信部１２２は、受信した状態情報を割当部１２３へ出力する。
【００２２】
割当部１２３は、基地局１２０から移動端末１１０へ送信する無線信号に通信リソースを割り当てる。また、割当部１２３は、受信部１２２から出力された状態情報に応じて、第１割当処理と第２割当処理とを切り替える。第１割当処理は、第１周波数帯域ｂ１および第２周波数帯域ｂ２を移動端末１１０への無線信号に割り当てる割当処理である。第２割当処理は、第１周波数帯域ｂ１および第２周波数帯域ｂ２の一方を移動端末１１０への無線信号に割り当てる割当処理である。
【００２３】
たとえば、移動端末１１０から送信される状態情報が、移動端末１１０への電源供給の有無を示す状態情報である場合について説明する。この場合は、割当部１２３は、移動端末１１０への電源供給がある場合は第１割当処理により通信リソースを割り当てる。また、割当部１２３は、移動端末１１０への電源供給がない場合は第２割当処理により通信リソースを割り当てる。
【００２４】
これにより、移動端末１１０への電源供給がある場合は第１周波数帯域ｂ１および第２周波数帯域ｂ２を用いて基地局１２０から移動端末１１０へ無線信号を送信することができる。また、移動端末１１０への電源供給がない場合は第１周波数帯域ｂ１および第２周波数帯域ｂ２のうちの一方のみを用いて無線信号を送信することができる。
【００２５】
このため、移動端末１１０において電源供給がないにもかかわらず、第１周波数帯域ｂ１および第２周波数帯域ｂ２の両方を用いて無線信号を受信することにより移動端末１１０の消費電力が大きくなることを回避することができる。また、移動端末１１０において電源供給がある場合には、第１周波数帯域ｂ１および第２周波数帯域ｂ２の両方を用いて無線信号を受信することにより移動端末１１０の通信品質を向上させることができる。
【００２６】
つぎに、移動端末１１０から送信される状態情報が、移動端末１１０の電池残量を示す状態情報である場合について説明する。この場合は、割当部１２３は、移動端末１１０の電池残量が所定の第１残量を上回っている場合は第１割当処理により通信リソースを割り当てる。また、割当部１２３は、移動端末１１０の電池残量が所定の第２残量を下回っている場合は第２割当処理により通信リソースを割り当てる。第２残量は、第１残量以下の値である。なお、移動端末１１０の電池残量が、第１残量以下かつ第２残量以上である場合の通信リソースの割当については特に限定しない。
【００２７】
これにより、移動端末１１０の電池残量が多い場合は第１周波数帯域ｂ１および第２周波数帯域ｂ２を用いて基地局１２０から移動端末１１０へ無線信号を送信することができる。また、移動端末１１０の電池残量が少ない場合は第１周波数帯域ｂ１および第２周波数帯域ｂ２のうちの一方のみを用いて無線信号を送信することができる。
【００２８】
このため、移動端末１１０の電池残量が少ないにもかかわらず、第１周波数帯域ｂ１および第２周波数帯域ｂ２の両方を用いて無線信号を受信することにより移動端末１１０の消費電力が大きくなることを回避することができる。また、移動端末１１０の電池残量が多い場合は、第１周波数帯域ｂ１および第２周波数帯域ｂ２の両方を用いて無線信号を受信することにより移動端末１１０の通信品質を向上させることができる。
【００２９】
つぎに、移動端末１１０から送信される状態情報が、移動端末１１０への電源供給の有無および移動端末１１０の電池残量の両方を示す状態情報である場合について説明する。この場合は、割当部１２３は、移動端末１１０への電源供給があり、または移動端末１１０の電池残量が第１残量を上回っている場合は第１割当処理により通信リソースを割り当てる。また、割当部１２３は、移動端末１１０への電源供給がなく、かつ移動端末１１０の電池残量が第２残量を下回っている場合は第２割当処理により通信リソースを割り当てる。
【００３０】
これにより、移動端末１１０への電源供給があり、または移動端末１１０の電池残量が多い場合は第１周波数帯域ｂ１および第２周波数帯域ｂ２を用いて基地局１２０から移動端末１１０へ無線信号を送信することができる。また、移動端末１１０への電源供給がなく、かつ移動端末１１０の電池残量が少ない場合は第１周波数帯域ｂ１および第２周波数帯域ｂ２のうちの一方のみを用いて無線信号を送信することができる。
【００３１】
このため、移動端末１１０への電源供給がなく、移動端末１１０の電池残量が少ないにもかかわらず、第１周波数帯域ｂ１および第２周波数帯域ｂ２の両方を用いて無線信号を受信して移動端末１１０の消費電力が大きくなることを回避することができる。また、移動端末１１０への電源供給があり、または電池残量が多い場合には、第１周波数帯域ｂ１および第２周波数帯域ｂ２の両方を用いて無線信号を受信することにより移動端末１１０の通信品質を向上させることができる。
【００３２】
このように、制御装置１２１が、移動端末１１０から通知された、移動端末１１０への電源供給の有無および移動端末１１０の電池残量の少なくとも一方を考慮してリソース割当を行うことにより、通信リソースを効率よく使用することができる。
【００３３】
＜要求するデータ量に基づく割当＞
また、移動端末１１０の検出部１１１は、さらに、基地局１２０から移動端末１１０への送信を要求するデータ量（下り要求スループット）を検出してもよい。たとえば、検出部１１１は、移動端末１１０で実行可能なアプリケーションの状態と、移動端末１１０が要求するデータ量と、の対応情報に基づいて、移動端末１１０で実行中のアプリケーションの状態に対応するデータ量を検出する。
【００３４】
この場合は、制御装置１２１の割当部１２３は、基地局１２０から移動端末１１０への送信を要求するデータ量を示す状態情報を受信部１２２から取得する。そして、割当部１２３は、移動端末１１０への電源供給の有無および移動端末１１０の電池残量の少なくともいずれかに応じて、所定データ量を上限とする割当処理と、状態情報が示すデータ量に応じた割当処理と、を切り替える。状態情報が示すデータ量に応じた割当処理は、所定データ量を超える割り当てが可能な割当処理であり、所定データ量を上限とする割当処理より多くの通信リソースを割り当て可能である。
【００３５】
たとえば、移動端末１１０から送信される状態情報が、移動端末１１０への電源供給の有無を示す状態情報である場合について説明する。この場合は、割当部１２３は、移動端末１１０への電源供給がある場合は、状態情報が示すデータ量に応じて所定データ量を超える割り当てが可能な第１割当処理により通信リソースを割り当てる。また、割当部１２３は、移動端末１１０への電源供給がない場合は、所定データ量を上限とする第２割当処理により通信リソースを割り当てる。
【００３６】
これにより、移動端末１１０への電源供給がある場合は、第１周波数帯域ｂ１および第２周波数帯域ｂ２の多くの通信リソースを用いて基地局１２０から移動端末１１０へ無線信号を送信することができる。また、移動端末１１０への電源供給がない場合は、第１周波数帯域ｂ１および第２周波数帯域ｂ２のうちの一方を、データ量を制限しつつ用いて無線信号を送信することができる。
【００３７】
このため、移動端末１１０において電源供給がないにもかかわらず、多くの通信リソースを用いて無線信号を受信することにより移動端末１１０の消費電力が大きくなることを回避することができる。また、移動端末１１０において電源供給がある場合は、多くの通信リソースを用いて無線信号を受信することにより、移動端末１１０の通信品質を向上させることができる。
【００３８】
つぎに、移動端末１１０から送信される状態情報が、移動端末１１０の電池残量を示す状態情報である場合について説明する。この場合は、割当部１２３は、移動端末１１０の電池残量が所定の第１残量を上回っている場合は、状態情報が示すデータ量に応じて所定データ量を超える割り当てが可能な第１割当処理により通信リソースを割り当てる。また、割当部１２３は、移動端末１１０の電池残量が所定の第２残量を下回っている場合は、所定データ量を上限とする第２割当処理により通信リソースを割り当てる。
【００３９】
これにより、移動端末１１０の電池残量が多い場合は第１周波数帯域ｂ１および第２周波数帯域ｂ２の多くの通信リソースを用いて基地局１２０から移動端末１１０へ無線信号を送信することができる。また、移動端末１１０の電池残量が少ない場合は第１周波数帯域ｂ１および第２周波数帯域ｂ２のうちの一方を、データ量を制限しつつ用いて無線信号を送信することができる。
【００４０】
このため、移動端末１１０の電池残量が少ないにもかかわらず、多くの通信リソースを用いて無線信号を受信することにより移動端末１１０の消費電力が大きくなることを回避することができる。移動端末１１０の電池残量が多い場合に、多くの通信リソースを用いて移動端末１１０の通信品質を向上させることができる。
【００４１】
つぎに、移動端末１１０から送信される状態情報が、移動端末１１０への電源供給の有無および移動端末１１０の電池残量の両方を示す状態情報である場合について説明する。この場合は、割当部１２３は、移動端末１１０への電源供給があり、または移動端末１１０の電池残量が第１残量を上回っている場合は、状態情報が示すデータ量に応じて所定データ量を超える割り当てが可能な第１割当処理を行う。また、割当部１２３は、移動端末１１０への電源供給がなく、かつ移動端末１１０の電池残量が第２残量を下回っている場合は、所定データ量を上限とする第２割当処理により通信リソースを割り当てる。
【００４２】
これにより、移動端末１１０への電源供給があり、または移動端末１１０の電池残量が多い場合は、第１周波数帯域ｂ１および第２周波数帯域ｂ２の多くの通信リソースを用いて基地局１２０から移動端末１１０へ無線信号を送信することができる。また、移動端末１１０への電源供給がなく、かつ移動端末１１０の電池残量が少ない場合は、第１周波数帯域ｂ１および第２周波数帯域ｂ２のうちの一方を、データ量を制限しつつ用いて無線信号を送信することができる。
【００４３】
このため、移動端末１１０において移動端末１１０への電源供給がなく、移動端末１１０の電池残量が少ないにもかかわらず多くの通信リソースを用いて無線信号を受信することにより移動端末１１０の消費電力が大きくなることを回避することができる。また、移動端末１１０において移動端末１１０への電源供給があり、または移動端末１１０の電池残量が多い場合に、多くの通信リソースを用いて無線信号を受信することにより移動端末１１０の通信品質を向上させることができる。
【００４４】
＜移動端末の移動速度に基づく割当＞
また、移動端末１１０の検出部１１１は、さらに、移動端末１１０の移動速度を検出してもよい。移動端末１１０が検出する移動速度は、たとえば、直前の所定期間中の移動速度の平均値（たとえば移動平均値等も含む）である。移動速度の平均値を算出する所定期間は、一例としては５〜１０分程度とすることができる。
【００４５】
制御装置１２１の割当部１２３は、移動端末１１０の移動速度を示す状態情報を受信部１２２から取得する。そして、割当部１２３は、状態情報が示す移動速度に応じて、第１周波数帯域ｂ１と第２周波数帯域ｂ２との比率が異なるように、移動端末１１０への無線信号に通信リソースを割り当てる。
【００４６】
たとえば、割当部１２３は、移動端末１１０の移動速度が所定の第１速度を下回っている場合は、移動端末１１０の移動速度が所定の第２速度を上回っている場合よりも、第１周波数帯域ｂ１に対する第２周波数帯域ｂ２の比率が大きくなるように割り当てる。第２速度は、第１速度以上の速度である。
【００４７】
これにより、移動端末１１０が、狭いセルでも通信が安定する低速移動中または停止中である場合は、狭い第２周波数帯域ｂ２をより多く用い、高速移動中の移動端末等、通信が安定しない他の端末のために広域の第１周波数帯域ｂ１を空けることができる。また、移動端末１１０が、通信が安定しない高速移動中である場合は、広域の第１周波数帯域ｂ１をより多く用い、移動端末１１０の通信を安定させることができる。このため、通信リソースを効率よく使用することができる。
【００４８】
このように、通信システム１００においては、移動端末１１０が、電池残量等の端末状態を制御装置１２１（ネットワーク側）へ通知する。そして、制御装置１２１が、移動端末１１０から通知された端末状態を考慮してダウンリンクのリソース割当を行う。これにより、通信リソースを効率よく使用することができる。
【００４９】
＜移動端末の適用例＞
通信システム１００は、たとえば、ＬＴＥ、ＬＴＥ−Ａ、ＷＬＡＮ（Ｗｉｒｅｌｅｓｓ  Ｌｏｃａｌ  Ａｒｅａ  Ｎｅｔｗｏｒｋ：無線構内通信網）等の無線通信が可能な通信システムに適用することができる。以下、ＬＴＥ−Ａの無線通信が可能な通信システムに通信システム１００を適用する場合について説明する。
【００５０】
（キャリアアグリゲーション）
図２は、キャリアアグリゲーションの一例を示す図である。図２の横軸は周波数を示している。図２に示すバンドＡは、８００［ＭＨｚ］帯の周波数帯域である。バンドＢは、３．５［ＧＨｚ］帯の周波数帯域である。ＬＴＥ−Ａのキャリアアグリゲーションは、たとえば、バンドＡにおける１つのコンポーネントキャリア２１０と、バンドＢの３つのコンポーネントキャリア２２１〜２２３と、４つのコンポーネントキャリアと、によって行われる。
【００５１】
この場合は、コンポーネントキャリア２１０，２２１〜２２３のそれぞれの帯域幅を２０［ＭＨｚ］とすると、最大で８０［ＭＨｚ］幅でのサービスが可能になる。このようなキャリアアグリゲーションは、たとえば、Ｉｎｔｅｒ  ｆｒｅｑｕｅｎｃｙ  Ｃａｒｒｉｅｒ  Ａｇｇｒｅｇａｔｉｏｎと呼ばれる。８００［ＭＨｚ］帯のバンドＡは、たとえばプラチナバンドと呼ばれ、バンドＢに比べて電波が届きやすい周波数帯域である。
【００５２】
図１−３に示した第１周波数帯域ｂ１は、たとえば図２に示すバンドＡに対応する。図１−３に示した第２周波数帯域ｂ２は、たとえば図２に示すバンドＢに対応する。移動端末１１０は、たとえば、バンドＡのコンポーネントキャリア２１０をプライマリＣＣ（Ｐｒｉｍａｒｙ  Ｃｏｍｐｏｎｅｎｔ  Ｃａｒｒｉｅｒ）として使用する。また、移動端末１１０は、バンドＢのコンポーネントキャリア２２１〜２２３をセカンダリＣＣ（Ｓｅｃｏｎｄａｒｙ  Ｃｏｍｐｏｎｅｎｔ  Ｃａｒｒｉｅｒ）として使用する。
【００５３】
この場合は、移動端末１１０において、コンポーネントキャリア２１０を使用するセルがプライマリセル（Ｐｒｉｍａｒｙ  ｃｅｌｌ）となり、コンポーネントキャリア２２１〜２２３を使用するセルがセカンダリセル（Ｓｅｃｏｎｄａｒｙ  ｃｅｌｌ）となる。
【００５４】
（下り物理チャネルのフレームマッピング）
図３は、下り物理チャネルのフレームマッピングの一例を示す図である。図３において、横方向は時間を示し、縦方向は周波数を示している。フレーム３１０は、移動端末１１０における下り物理チャネルにおける１フレームを示している。フレーム３１０の長さは１０［ｍｓ］であり、下り物理チャネルにおいてフレーム３１０が繰り返し送信される。また、フレーム３１０は、１［ｍｓ］の長さの１０個のサブフレームを含む。
【００５５】
サブフレーム３２０は、フレーム３１０における１サブフレームを示している。サブフレーム３２０は、２個のスロットを含む。スロット３３０は、サブフレーム３２０における１スロットを示している。スロット３３０は、７個のＯＦＤＭシンボルを含む。スロット３３０の各ＯＦＤＭシンボルの先頭には、それぞれのシンボルの末尾部分をコピーした巡回プレフィクス（ＣＰ：Ｃｙｃｌｉｃ  Ｐｒｅｆｉｘ）が含まれる。
【００５６】
サブフレーム３２０には、たとえば、プライマリ同期信号３２１と、セカンダリ同期信号３２２と、ＰＢＣＨ３２３（Ｐｈｙｓｉｃａｌ  Ｂｒｏａｄｃａｓｔ  Ｃｈａｎｎｅｌ：物理ブロードキャストチャネル）と、ＰＤＣＣＨ３２４（Ｐｈｙｓｉｃａｌ  Ｄｏｗｎｌｉｎｋ  Ｃｏｎｔｒｏｌ  Ｃｈａｎｎｅｌ：物理下りリンク制御チャネル）と、ＰＤＳＣＨ３２５（Ｐｈｙｓｉｃａｌ  Ｄｏｗｎｌｉｎｋ  Ｓｈａｒｅｄ  Ｃｈａｎｎｅｌ：物理下りリンク共有チャネル）と、リファレンス信号３２６（ＲＳ：Ｒｅｆｅｒｅｎｃｅ  Ｓｉｇｎａｌ）と、が配置されている。移動端末１１０は、セルサーチの際に、たとえば、プライマリ同期信号３２１およびセカンダリ同期信号３２２を使用してセルとの同期処理を行うことによってセルＩＤを復調し、セルを特定する。
【００５７】
そして、移動端末１１０は、たとえばＬＴＥ−Ａの３ＧＰＰ（３ｒｄ  Ｇｅｎｅｒａｔｉｏｎ  Ｐａｒｔｎｅｒｓｈｉｐ  Ｐｒｏｊｅｃｔ）規格３６．２１４に基づくＲＳＳＩ、ＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）およびＲＳＲＱ（Ｒｅｆｅｒｅｎｃｅ  Ｓｉｇｎａｌ  Ｒｅｃｅｉｖｅｄ  Ｑｕａｌｉｔｙ：基準信号受信品質）の測定を行う。
【００５８】
ＲＳＳＩの測定は、たとえば、測定バンドの無線パワー測定であり、セル信号に加えてノイズや干渉成分を加算した信号に対する無線パワー測定である。ＲＳＲＰの測定は、たとえば、リファレンス信号３２６のパワー測定である。リファレンス信号３２６は、各スロットにおけるシンボル「０」およびシンボル「４」に配置されている。
【００５９】
ＲＳＲＱは、たとえば、リファレンス信号３２６のパワーであるＲＳＲＰをＲＳＳＩで割ったものであり、たとえばＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ：信号対干渉雑音比）に相当する。
【００６０】
（移動端末とネットワークとの間のメッセージフロー）
図４は、移動端末とネットワークとの間のメッセージフローの一例を示すシーケンス図である。図４に示すＥＵＴＲＡＮ４１０（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、図１−１，図１−２に示した制御装置１２１に対応する構成である。
【００６１】
ＥＵＴＲＡＮ４１０は、たとえば基地局１２０に設けられる。または、ＥＵＴＲＡＮ４１０は、基地局１２０より上位の通信装置に設けられていてもよい。この場合は、移動端末１１０は、基地局１２０を介してＥＵＴＲＡＮ４１０との間で通信を行う。
【００６２】
ＬＴＥ−Ａ（たとえば３ＧＰＰ  ＴＳ３６．３３１）においては、たとえば周期的に以下の各ステップが実行される。まず、移動端末１１０が、Ｍｅａｓｕｒｅｍｅｎｔ  ＲｅｐｏｒｔをＥＵＴＲＡＮ４１０へ送信する（ステップＳ４０１）。Ｍｅａｓｕｒｅｍｅｎｔ  Ｒｅｐｏｒｔは、たとえば、上述したセルサーチによるＲＳＳＩ、ＲＳＲＰおよびＲＳＲＱの測定結果に基づく情報を含む。
【００６３】
つぎに、ＥＵＴＲＡＮ４１０が、ステップＳ４０１によって送信されたＭｅａｓｕｒｅｍｅｎｔ  Ｒｅｐｏｒｔに基づいて、移動端末１１０の設定変更の内容（変更なしも含む）を決定する（ステップＳ４０２）。設定変更には、たとえば、セカンダリＣＣの追加または削除や、プライマリＣＣとセカンダリＣＣとの切り替え等がある。つぎに、ＥＵＴＲＡＮ４１０は、ステップＳ４０２によって決定した設定変更の内容を示す情報を含むＲＲＣ  Ｃｏｎｎｅｃｔｉｏｎ  Ｒｅｃｏｎｆｉｇｕｒａｔｉｏｎを移動端末１１０へ送信する（ステップＳ４０３）。
【００６４】
つぎに、移動端末１１０が、ステップＳ４０３によって送信されたＲＲＣ  Ｃｏｎｎｅｃｔｉｏｎ  Ｒｅｃｏｎｆｉｇｕｒａｔｉｏｎに基づいて設定変更を行う（ステップＳ４０４）。つぎに、移動端末１１０が、設定変更を完了したことを示すＲＲＣ  Ｃｏｎｎｅｃｔｉｏｎ  Ｒｅｃｏｎｆｉｇｕｒａｔｉｏｎ  ＣｏｍｐｌｅｔｅをＥＵＴＲＡＮ４１０へ送信し（ステップＳ４０５）、一連のメッセージフローを終了する。
【００６５】
以上の各ステップにより、移動端末１１０における周期的なセルサーチの結果に基づいて、ＥＵＴＲＡＮ４１０が移動端末１１０の設定変更を決定し、決定結果にしたがって移動端末１１０の設定変更を行うことができる。
【００６６】
（チェック対象のイベント群）
図５は、チェック対象のイベント群の一例を示す図である。移動端末１１０は、たとえば定期的に、図５に示すテーブル５００に含まれる各イベントをチェックする。テーブル５００には「ＥｖｅｎｔＡ１」〜「ＥｖｅｎｔＡ６」、「ＥｖｅｎｔＢ１」，「ＥｖｅｎｔＢ２」および「ＥｖｅｎｔＳ１」が含まれている。
【００６７】
「ＥｖｅｎｔＡ１」〜「ＥｖｅｎｔＡ６」および「ＥｖｅｎｔＢ１」，「ＥｖｅｎｔＢ２」は、たとえば、３ＧＰＰのＴＳ３６．３３１において規定されている。
【００６８】
「ＥｖｅｎｔＡ１」は、サービングセルのパワーが閾値よりよくなったときに発生するイベントである。「ＥｖｅｎｔＡ２」は、サービングセルのパワーが閾値より悪くなったときに発生するイベントである。「ＥｖｅｎｔＡ３」は、ネイバセルのパワーがプライマリセルと比較して定めたオフセットよりよくなったときに発生するイベントである。
【００６９】
「ＥｖｅｎｔＡ４」は、ネイバセルのパワーが閾値よりよくなったときに発生するイベントである。「ＥｖｅｎｔＡ５」は、プライマリセルのパワーが閾値より悪くなりかつネイバセルのパワーが閾値よりよくなったときに発生するイベントである。「ＥｖｅｎｔＡ６」は、ネイバセルのパワーがセカンダリセルのパワーと比較して定めたオフセットよりよくなったときに発生するイベントである。
【００７０】
「ＥｖｅｎｔＢ１」は、Ｉｎｔｅｒ  ＲＡＴ（他の無線システム）のネイバセルのパワーが閾値に比較してよくなったときに発生するイベントである。「ＥｖｅｎｔＢ２」は、プライマリセルが閾値より悪くなりＩｎｔｅｒ  ＲＡＴ（他の無線システム）のネイバセルのパワーが閾値よりよくなったときに発生するイベントである。
【００７１】
「ＥｖｅｎｔＳ１」は、たとえば移動端末１１０の状態が変化したときに発生するイベントである。移動端末１１０の状態には、たとえば、外部からの電源供給の有無、電池残量、下り要求スループット、移動速度等がある。移動端末１１０は、「ＥｖｅｎｔＳ１」が発生すると、発生した「ＥｖｅｎｔＳ１」を報告するための報告情報をたとえばＭｅａｓｕｒｅｍｅｎｔ  ＲｅｐｏｒｔによりＥＵＴＲＡＮ４１０へ送信する。
【００７２】
（ＥｖｅｎｔＳ１の報告動作）
図６は、ＥｖｅｎｔＳ１の報告動作の一例を示すフローチャートである。移動端末１１０は、たとえば、基地局１２０との通信開始後に、以下の各ステップを実行する。まず、移動端末１１０は、所定時間を計時するタイマＴ１を設定する（ステップＳ６０１）。
【００７３】
つぎに、移動端末１１０は、「ＥｖｅｎｔＳ１」をＥＵＴＲＡＮ４１０へ報告する（ステップＳ６０２）。たとえば、移動端末１１０は、外部からの電源供給の有無、電池残量、下り要求スループット、移動速度等の移動端末１１０の状態を示す報告情報をＥＵＴＲＡＮ４１０へ送信する。
【００７４】
つぎに、移動端末１１０は、外部からの電源供給の有無を示す電源供給情報を取得する（ステップＳ６０３）。つぎに、移動端末１１０は、今回のステップＳ６０３によって取得した電源供給情報が、前回のステップＳ６０３によって取得した電源供給情報から変化したか否かを判断する（ステップＳ６０４）。なお、初回のステップＳ６０４においては、移動端末１１０は電源供給情報が変化していないと判断する。
【００７５】
ステップＳ６０４において、電源供給情報が変化した場合（ステップＳ６０４：Ｙｅｓ）は、移動端末１１０は、ステップＳ６０２へ戻って「ＥｖｅｎｔＳ１」をＥＵＴＲＡＮ４１０へ報告する。電源供給情報が変化していない場合（ステップＳ６０４：Ｎｏ）は、移動端末１１０は、移動端末１１０の電池残量が、異なる複数の残量範囲のいずれに含まれるかを示す電池残量情報を取得する（ステップＳ６０５）。
【００７６】
つぎに、移動端末１１０は、今回のステップＳ６０５によって取得した電池残量情報が、前回のステップＳ６０５によって取得した電池残量情報から変化したか否かを判断する（ステップＳ６０６）。なお、初回のステップＳ６０６においては、移動端末１１０は電池残量情報が変化していないと判断する。
【００７７】
ステップＳ６０６において、電池残量情報が変化した場合（ステップＳ６０６：Ｙｅｓ）は、移動端末１１０は、ステップＳ６０２へ戻って「ＥｖｅｎｔＳ１」をＥＵＴＲＡＮ４１０へ報告する。電池残量情報が変化していない場合（ステップＳ６０６：Ｎｏ）は、移動端末１１０は、移動端末１１０の移動速度が、異なる複数の速度範囲のいずれに含まれるかを示す移動速度情報を取得する（ステップＳ６０７）。
【００７８】
つぎに、移動端末１１０は、今回のステップＳ６０７によって取得した移動速度情報が、前回のステップＳ６０７によって取得した移動速度情報から変化したか否かを判断する（ステップＳ６０８）。なお、初回のステップＳ６０８においては、移動端末１１０は移動速度情報が変化していないと判断する。
【００７９】
ステップＳ６０８において、移動速度情報が変化した場合（ステップＳ６０８：Ｙｅｓ）は、移動端末１１０は、ステップＳ６０２へ戻って「ＥｖｅｎｔＳ１」をＥＵＴＲＡＮ４１０へ報告する。電池残量情報が変化していない場合（ステップＳ６０８：Ｎｏ）は、移動端末１１０は、移動端末１１０の下り要求スループットが、異なる複数のスループット範囲のいずれに含まれるかを示す下り要求スループット情報を取得する（ステップＳ６０９）。
【００８０】
つぎに、移動端末１１０は、今回のステップＳ６０９によって取得した下り要求スループット情報が、前回のステップＳ６０９によって取得した下り要求スループット情報から変化したか否かを判断する（ステップＳ６１０）。なお、初回のステップＳ６１０においては、移動端末１１０は下り要求スループット情報が変化していないと判断する。
【００８１】
ステップＳ６１０において、下り要求スループット情報が変化した場合（ステップＳ６１０：Ｙｅｓ）は、移動端末１１０は、ステップＳ６０２へ戻って「ＥｖｅｎｔＳ１」をＥＵＴＲＡＮ４１０へ報告する。下り要求スループット情報が変化していない場合（ステップＳ６１０：Ｎｏ）は、移動端末１１０は、ステップＳ６０１によって設定したタイマＴ１が満了したか否かを判断する（ステップＳ６１１）。
【００８２】
ステップＳ６１１において、タイマＴ１が満了した場合（ステップＳ６１１：Ｙｅｓ）は、移動端末１１０は、ステップＳ６０１へ戻ってタイマＴ１の再設定および「ＥｖｅｎｔＳ１」の報告を行う。タイマＴ１が満了していない場合（ステップＳ６１１：Ｎｏ）は、移動端末１１０は、ステップＳ６０３へ戻る。
【００８３】
以上の各ステップにより、移動端末１１０は、基地局１２０との通信開始時に「ＥｖｅｎｔＳ１」をＥＵＴＲＡＮ４１０へ報告することができる。また、移動端末１１０は、外部からの電源供給の有無、電池残量の段階、移動速度の段階または下り要求スループットが変化したときに「ＥｖｅｎｔＳ１」をＥＵＴＲＡＮ４１０へ報告することができる。これにより、移動端末１１０の状態を効率よくＥＵＴＲＡＮ４１０へ通知することができる。また、移動端末１１０は、タイマＴ１によって計時される所定時間ごとに「ＥｖｅｎｔＳ１」をＥＵＴＲＡＮ４１０へ報告することができる。
【００８４】
（ＥｖｅｎｔＳ１の報告情報）
図７−１は、ＥｖｅｎｔＳ１の報告情報の一例を示す図である。移動端末１１０は、「ＥｖｅｎｔＳ１」の発生を検出した場合に、たとえば図７−１のテーブル７１０に示すビット「ｂ６」，「ｂ５」，「ｂ４」，「ｂ３」，「ｂ２」，「ｂ１」，「ｂ０」を報告情報として送信する。
【００８５】
移動端末１１０への電源供給の有無を示す電源供給情報は、ビット「ｂ６」の１ビットで表される。移動端末１１０の電池残量を示す電池残量情報は、ビット「ｂ５」，「ｂ４」の２ビットで表される。
【００８６】
移動端末１１０の移動速度を示す移動速度情報は、ビット「ｂ３」，「ｂ２」の２ビットで表される。移動端末１１０への送信を要求する下り要求スループットを示す下り要求スループット情報は、ビット「ｂ１」，「ｂ０」の２ビットで表される。
【００８７】
図７−２は、電源供給情報の一例を示す図である。たとえば、図７−２のテーブル７２０に示すように、移動端末１１０は、移動端末１１０への電源供給がある場合は報告情報のビット「ｂ６」を「１」にする。また、移動端末１１０は、移動端末１１０への電源供給がない場合は報告情報のビット「ｂ６」を「０」にする。
【００８８】
図７−３は、電池残量情報の一例を示す図である。たとえば、図７−３のテーブル７３０に示すように、移動端末１１０は、移動端末１１０の電池残量が７５％以上、１００％以下である場合は報告情報のビット「ｂ５」，「ｂ４」をそれぞれ「１」，「１」にする。また、移動端末１１０は、移動端末１１０の電池残量が５０％以上、７５％未満である場合は報告情報のビット「ｂ５」，「ｂ４」をそれぞれ「１」，「０」にする。
【００８９】
また、移動端末１１０は、移動端末１１０の電池残量が２５％以上、５０％未満である場合は報告情報のビット「ｂ５」，「ｂ４」をそれぞれ「０」，「１」にする。また、移動端末１１０は、移動端末１１０の電池残量が０％以上、２５％未満である場合は報告情報のビット「ｂ５」，「ｂ４」をそれぞれ「０」，「０」にする。
【００９０】
図７−４は、移動速度情報の一例を示す図である。たとえば、図７−４のテーブル７４０に示すように、移動端末１１０は、移動端末１１０の移動速度が５０［ｋｍ／ｈ］以上である場合は報告情報のビット「ｂ３」，「ｂ２」をそれぞれ「１」，「１」にする。また、移動端末１１０は、移動端末１１０の移動速度が１５［ｋｍ／ｈ］以上、５０［ｋｍ／ｈ］未満である場合は報告情報のビット「ｂ３」，「ｂ２」をそれぞれ「１」，「０」にする。
【００９１】
また、移動端末１１０は、移動端末１１０の移動速度が０［ｋｍ／ｈ］より大きく、１５［ｋｍ／ｈ］未満である場合は報告情報のビット「ｂ３」，「ｂ２」をそれぞれ「０」，「１」にする。また、移動端末１１０は、移動速度が０［ｋｍ／ｈ］である場合（静止）は報告情報のビット「ｂ３」，「ｂ２」をそれぞれ「０」，「０」にする。
【００９２】
図７−５は、下り要求スループット情報の一例を示す図である。たとえば、図７−５のテーブル７５０に示すように、移動端末１１０は、移動端末１１０への下り要求スループットが２０［Ｍｂｐｓ］以上である場合は報告情報のビット「ｂ１」，「ｂ０」をそれぞれ「１」，「１」にする。また、移動端末１１０は、移動端末１１０への下り要求スループットが１０［Ｍｂｐｓ］以上、２０［Ｍｂｐｓ］未満である場合は報告情報のビット「ｂ１」，「ｂ０」をそれぞれ「１」，「０」にする。
【００９３】
また、移動端末１１０は、移動端末１１０への下り要求スループットが５［Ｍｂｐｓ］以上、１０［Ｍｂｐｓ］未満である場合は報告情報のビット「ｂ１」，「ｂ０」をそれぞれ「０」，「１」にする。また、移動端末１１０は、移動端末１１０への下り要求スループットが０［Ｍｂｐｓ］以上、５［Ｍｂｐｓ］未満である場合は報告情報のビット「ｂ１」，「ｂ０」をそれぞれ「０」，「０」にする。
【００９４】
（ＥｖｅｎｔＳ１の報告およびリソース割当のプロトコルフロー）
図８は、ＥｖｅｎｔＳ１の報告およびリソース割当のプロトコルフローの一例を示すシーケンス図である。まず、移動端末１１０は、Ｍｅａｓｕｒｅｍｅｎｔ  Ｒｅｐｏｒｔにより、「ＥｖｅｎｔＳ１」の報告情報をＥＵＴＲＡＮ４１０へ送信する（ステップＳ８０１）。「ＥｖｅｎｔＳ１」の報告情報は、たとえば図７−１に示したビット「ｂ６」，「ｂ５」，「ｂ４」，「ｂ３」，「ｂ２」，「ｂ１」，「ｂ０」である。
【００９５】
つぎに、ＥＵＴＲＡＮ４１０が、ステップＳ８０１によって送信された報告情報に基づいて、移動端末１１０の状態を示すカテゴリを判定する（ステップＳ８０２）。カテゴリの判定処理については後述する（たとえば図１２参照）。つぎに、ＥＵＴＲＡＮ４１０が、ステップＳ８０２によって判定したカテゴリに基づくリソース割当を行う（ステップＳ８０３）。
【００９６】
つぎに、ＥＵＴＲＡＮ４１０が、ＰＤＣＣＨの無線チャネルにより、ステップＳ８０３によるリソース割当の結果を示すリソース割当通知を移動端末１１０へ送信し（ステップＳ８０４）、一連のプロトコルフローを終了する。この後、基地局１２０（たとえばＥＵＴＲＡＮ４１０）は、ステップＳ８０３によるリソース割当にしたがって移動端末１１０への無線信号を送信する。これに対して、移動端末１１０は、ステップＳ８０４によって送信されたリソース割当通知に基づいて基地局１２０からの無線信号を受信する。
【００９７】
（ダウンリンクにおける受信品質の測定）
つぎに、ダウンリンクにおける受信品質の測定と、受信品質の測定結果の報告と、について説明する。
【００９８】
図９−１は、基地局から移動端末へ送信される信号のタイミングの一例を示す図である。図９−１において、横方向は時間を示している。図９−１に示すダウンリンクフレーム９１０は、ＬＴＥ−Ａにおいて基地局１２０から移動端末１１０へ送信されるダウンリンクのフレームである。ダウンリンクフレーム９１０は、たとえば１［ｍｓ］ごとのサブフレームに分けられる。
【００９９】
また、ダウンリンクフレーム９１０には、たとえば５サブフレーム（５［ｍｓ］）ごとにＣＳＩ−ＲＳ９１１（Ｃｈａｎｎｅｌ  Ｓｔａｔｅ  Ｉｎｄｉｃａｔｏｒ−Ｒｅｆｅｒｅｎｃｅ  Ｓｉｇｎａｌ）が格納される。移動端末１１０は、ＣＳＩ−ＲＳ９１１のＳＮＲ（Ｓｉｇｎａｌ  Ｎｏｉｓｅ  Ｒａｔｉｏ：信号雑音比）を測定する。
【０１００】
図９−２は、移動端末から基地局へ送信される信号のタイミングの一例を示す図である。図９−２において、横方向は時間を示している。アップリンクフレーム９２０は、ＬＴＥ−Ａにおいて移動端末１１０から基地局１２０へ送信されるアップリンクのフレームである。アップリンクフレーム９２０は、たとえば１［ｍｓ］ごとのサブフレームに分けられる。
【０１０１】
また、アップリンクフレーム９２０には、たとえば５サブフレーム（５［ｍｓ］）ごとにＣＱＩ９２１（Ｃｈａｎｎｅｌ  Ｑｕａｌｉｔｙ  Ｉｎｄｉｃａｔｏｒ）が格納される。移動端末１１０は、測定したＣＳＩ−ＲＳ９１１のＳＮＲをＣＱＩ９２１によってＥＵＴＲＡＮ４１０に報告する。
【０１０２】
（ＣＱＩテーブル）
図１０は、ＣＱＩテーブルの一例を示す図である。図１０に示すＣＱＩテーブル１０００は、たとえば３ＧＰＰのＴＳ３６．２１３に規定されたＣＱＩテーブルである。
【０１０３】
ＣＱＩテーブル１０００においては、「ＣＱＩ  Ｉｎｄｅｘ」ごとに、「Ｍｏｄｕｌａｔｉｏｎ」、「Ｃｏｄｉｎｇ  ｒａｔｅ×１０２４」および「Ｅｆｆｉｃｉｅｎｃｙ」が対応付けられている。「ＣＱＩ  Ｉｎｄｅｘ」は、たとえば「０」〜「１５」の１６通りのインデックスであり、たとえば４ビットで表される。「ＣＱＩ  Ｉｎｄｅｘ」が大きいほど、対応するリソースブロックにおいて移動端末１１０が良好なＳＮＲで無線信号を受信可能であることを示している。
【０１０４】
「Ｍｏｄｕｌａｔｉｏｎ」は、適応可能な変調方式を示す。「Ｃｏｄｉｎｇ  ｒａｔｅ×１０２４」はコードレートを示す。「Ｅｆｆｉｃｉｅｎｃｙ」は、送信効率を示す。
【０１０５】
移動端末１１０は、図９−２に示したＣＱＩ９２１として「ＣＱＩ  Ｉｎｄｅｘ」をＥＵＴＲＡＮ４１０へ報告する。また、移動端末１１０は、サブバンドごとに「ＣＱＩ  Ｉｎｄｅｘ」をＥＵＴＲＡＮ４１０へ報告する。サブバンドについては後述する（たとえば図１１参照）。
【０１０６】
（システム帯域を分割したサブバンド）
図１１は、システム帯域を分割したサブバンドの一例を示す図である。図１１において、横方向は周波数を示し、縦方向は時間を示している。移動端末１１０と基地局１２０との間で使用可能な周波数帯域は、たとえば図１１に示す周波数ブロックＰＣＣ，ＳＣＣ１〜ＳＣＣ３に分けられる。
【０１０７】
周波数ブロックＰＣＣは、たとえば図２に示したバンドＡのプライマリＣＣであり、サブバンドＰ１〜Ｐ２４の２４個のサブバンドに分割されている。周波数ブロックＳＣＣ１〜ＳＣＣ３のそれぞれは、たとえば図２に示したバンドＢのセカンダリＣＣであり、サブバンドＳ１〜Ｓ２４の２４個のサブバンドに分割されている。移動端末１１０は、たとえば、周波数ブロックＰＣＣ，ＳＣＣ１〜ＳＣＣ３のサブバンドごとに４ビットのＣＱＩ（たとえば図１０参照）をＥＵＴＲＡＮ４１０へ報告する。
【０１０８】
（カテゴリの判定処理）
図１２は、カテゴリの判定処理の一例を示すフローチャートである。ＥＵＴＲＡＮ４１０は、図８に示したステップＳ８０２において、移動端末１１０からの報告情報に基づいて、たとえば以下の各ステップを実行する。まず、ＥＵＴＲＡＮ４１０は、移動端末１１０に対して外部からの電源供給があるか否かを判断する（ステップＳ１２０１）。
【０１０９】
ステップＳ１２０１において、外部からの電源供給がある場合（ステップＳ１２０１：Ｙｅｓ）は、ＥＵＴＲＡＮ４１０は、移動端末１１０の移動速度が１５［ｋｍ／ｈ］未満であるか否かを判断する（ステップＳ１２０２）。移動速度が１５［ｋｍ／ｈ］未満である場合（ステップＳ１２０２：Ｙｅｓ）は、ＥＵＴＲＡＮ４１０は、カテゴリを「Ｃａｔｅｇｏｒｙ１−１」と判定し（ステップＳ１２０３）、一連の判定処理を終了する。
【０１１０】
ステップＳ１２０２において、移動速度が１５［ｋｍ／ｈ］以上である場合（ステップＳ１２０２：Ｎｏ）は、ＥＵＴＲＡＮ４１０は、移動端末１１０の移動速度が５０［ｋｍ／ｈ］以上であるか否かを判断する（ステップＳ１２０４）。
【０１１１】
ステップＳ１２０４において、移動速度が５０［ｋｍ／ｈ］以上である場合（ステップＳ１２０４：Ｙｅｓ）は、ＥＵＴＲＡＮ４１０は、カテゴリを「Ｃａｔｅｇｏｒｙ１−２」と判定し（ステップＳ１２０５）、一連の判定処理を終了する。移動速度が５０［ｋｍ／ｈ］未満である場合（ステップＳ１２０４：Ｎｏ）は、ＥＵＴＲＡＮ４１０は、カテゴリを「Ｃａｔｅｇｏｒｙ３」と判定し（ステップＳ１２０６）、一連の判定処理を終了する。外部からの電源供給がない場合（ステップＳ１２０１：Ｎｏ）は、ＥＵＴＲＡＮ４１０は、移動端末１１０の電池残量が５０％以上か否かを判断する（ステップＳ１２０７）。電池残量が５０％以上である場合（ステップＳ１２０７：Ｙｅｓ）は、ＥＵＴＲＡＮ４１０は、ステップＳ１２０２へ移行する。
【０１１２】
ステップＳ１２０７において、電池残量が５０％未満である場合（ステップＳ１２０７：Ｎｏ）は、ＥＵＴＲＡＮ４１０は、移動端末１１０の電池残量が２５％未満か否かを判断する（ステップＳ１２０８）。電池残量が２５％未満である場合（ステップＳ１２０８：Ｙｅｓ）は、ＥＵＴＲＡＮ４１０は、移動端末１１０の移動速度が１５［ｋｍ／ｈ］未満であるか否かを判断する（ステップＳ１２０９）。移動速度が１５［ｋｍ／ｈ］未満である場合（ステップＳ１２０９：Ｙｅｓ）は、ＥＵＴＲＡＮ４１０は、カテゴリを「Ｃａｔｅｇｏｒｙ２−１」と判定し（ステップＳ１２１０）、一連の判定処理を終了する。
【０１１３】
ステップＳ１２０９において、移動速度が１５［ｋｍ／ｈ］以上である場合（ステップＳ１２０９：Ｎｏ）は、ＥＵＴＲＡＮ４１０は、移動端末１１０の移動速度が５０［ｋｍ／ｈ］以上であるか否かを判断する（ステップＳ１２１１）。移動速度が５０［ｋｍ／ｈ］以上である場合（ステップＳ１２１１：Ｙｅｓ）は、ＥＵＴＲＡＮ４１０は、カテゴリを「Ｃａｔｅｇｏｒｙ２−２」と判定し（ステップＳ１２１２）、一連の判定処理を終了する。
【０１１４】
ステップＳ１２１１において、移動速度が５０［ｋｍ／ｈ］未満である場合（ステップＳ１２１１：Ｎｏ）は、ＥＵＴＲＡＮ４１０は、カテゴリを「Ｃａｔｅｇｏｒｙ３」と判定し（ステップＳ１２１３）、一連の判定処理を終了する。
【０１１５】
ステップＳ１２０８において、電池残量が２５％以上である場合（ステップＳ１２０８：Ｎｏ）は、ＥＵＴＲＡＮ４１０は、ステップＳ１２１３へ移行する。
【０１１６】
以上の各ステップにより、移動端末１１０の電池が長時間もつと予測され、移動端末１１０が低速移動中または停止中である場合は移動端末１１０のカテゴリを「Ｃａｔｅｇｏｒｙ１−１」と判定することができる。また、移動端末１１０の電池が長時間もつと予測され、移動端末１１０が高速移動中である場合は移動端末１１０のカテゴリを「Ｃａｔｅｇｏｒｙ１−２」と判定することができる。
【０１１７】
また、移動端末１１０の電池が短時間しかもたないと予測され、移動端末１１０が低速移動中または停止中である場合は移動端末１１０のカテゴリを「Ｃａｔｅｇｏｒｙ２−１」と判定することができる。また、移動端末１１０の電池が短時間しかもたないと予測され、移動端末１１０が高速移動中である場合は移動端末１１０のカテゴリを「Ｃａｔｅｇｏｒｙ２−２」と判定することができる。
【０１１８】
（リソース割当処理）
図１３は、リソース割当処理の一例を示すフローチャートである。ＥＵＴＲＡＮ４１０は、図８に示したステップＳ８０３において、図１２に示した処理によるカテゴリの判定結果に基づいて、たとえば以下の各ステップを実行する。まず、ＥＵＴＲＡＮ４１０は、判定したカテゴリが「Ｃａｔｅｇｏｒｙ１−１」であるか否かを判断する（ステップＳ１３０１）。
【０１１９】
ステップＳ１３０１において、判定したカテゴリが「Ｃａｔｅｇｏｒｙ１−１」である場合（ステップＳ１３０１：Ｙｅｓ）は、ＥＵＴＲＡＮ４１０は、ステップＳ１３０２へ移行する。すなわち、ＥＵＴＲＡＮ４１０は、移動端末１１０から報告されたＣＱＩおよび下り要求スループットに基づいて、プライマリＣＣおよびセカンダリＣＣのリソース割当を行い（ステップＳ１３０２）、一連のリソース割当処理を終了する。
【０１２０】
また、ＥＵＴＲＡＮ４１０は、ステップＳ１３０２のリソース割当においては、セカンダリＣＣに対するプライマリＣＣの比率が、後述のステップＳ１３０４のリソース割当よりも小さくなるようにする。
【０１２１】
ステップＳ１３０１において、判定したカテゴリが「Ｃａｔｅｇｏｒｙ１−１」でない場合（ステップＳ１３０１：Ｎｏ）は、ＥＵＴＲＡＮ４１０は、判定したカテゴリが「Ｃａｔｅｇｏｒｙ１−２」であるか否かを判断する（ステップＳ１３０３）。
【０１２２】
ステップＳ１３０３において、判定したカテゴリが「Ｃａｔｅｇｏｒｙ１−２」である場合（ステップＳ１３０３：Ｙｅｓ）は、ＥＵＴＲＡＮ４１０は、ステップＳ１３０４へ移行する。すなわち、ＥＵＴＲＡＮ４１０は、移動端末１１０から報告されたＣＱＩおよび下り要求スループットに基づいて、プライマリＣＣおよびセカンダリＣＣのリソース割当を行い（ステップＳ１３０４）、一連のリソース割当処理を終了する。
【０１２３】
また、ＥＵＴＲＡＮ４１０は、ステップＳ１３０４のリソース割当においては、セカンダリＣＣに対するプライマリＣＣの比率が、ステップＳ１３０２のリソース割当よりも大きくなるようにする。
【０１２４】
ステップＳ１３０３において、判定したカテゴリが「Ｃａｔｅｇｏｒｙ１−２」でない場合（ステップＳ１３０３：Ｎｏ）は、ＥＵＴＲＡＮ４１０は、判定したカテゴリが「Ｃａｔｅｇｏｒｙ２−１」であるか否かを判断する（ステップＳ１３０５）。
【０１２５】
ステップＳ１３０５において、判定したカテゴリが「Ｃａｔｅｇｏｒｙ２−１」である場合（ステップＳ１３０５：Ｙｅｓ）は、ＥＵＴＲＡＮ４１０は、ステップＳ１３０６へ移行する。すなわち、ＥＵＴＲＡＮ４１０は、移動端末１１０から報告されたＣＱＩに基づいて、セカンダリＣＣのみのリソース割当を行い（ステップＳ１３０６）、一連のリソース割当処理を終了する。
【０１２６】
また、ＥＵＴＲＡＮ４１０は、ステップＳ１３０６のリソース割当においては、移動端末１１０から報告された下り要求スループットをリソース割当に反映させず、たとえば５［Ｍｂｐｓ］以下のリソース割当を行う。
【０１２７】
ステップＳ１３０５において、判定したカテゴリが「Ｃａｔｅｇｏｒｙ２−１」でない場合（ステップＳ１３０５：Ｎｏ）は、ＥＵＴＲＡＮ４１０は、判定したカテゴリが「Ｃａｔｅｇｏｒｙ２−２」であるか否かを判断する（ステップＳ１３０７）。
【０１２８】
ステップＳ１３０７において、判定したカテゴリが「Ｃａｔｅｇｏｒｙ２−２」である場合（ステップＳ１３０７：Ｙｅｓ）は、ＥＵＴＲＡＮ４１０は、ステップＳ１３０８へ移行する。すなわち、ＥＵＴＲＡＮ４１０は、移動端末１１０から報告されたＣＱＩに基づいて、プライマリＣＣのみのリソース割当を行い（ステップＳ１３０８）、一連のリソース割当処理を終了する。
【０１２９】
また、ＥＵＴＲＡＮ４１０は、ステップＳ１３０８のリソース割当においては、移動端末１１０から報告された下り要求スループットをリソース割当に反映させず、たとえば５［Ｍｂｐｓ］以下のリソース割当を行う。
【０１３０】
ステップＳ１３０７において、判定したカテゴリが「Ｃａｔｅｇｏｒｙ２−２」でない場合（ステップＳ１３０７：Ｎｏ）は、ＥＵＴＲＡＮ４１０は、ステップＳ１３０９へ移行する。すなわち、ＥＵＴＲＡＮ４１０は、移動端末１１０から報告されたＣＱＩに基づいてリソース割当を行い（ステップＳ１３０９）、一連のリソース割当処理を終了する。
【０１３１】
これにより、移動端末１１０への電源供給があり、または移動端末１１０の電池残量が多い場合は、プライマリＣＣおよびセカンダリＣＣを割り当てることができる。また、移動端末１１０への電源供給がなく、かつ移動端末１１０の電池残量が少ない場合は、プライマリＣＣおよびセカンダリＣＣのうちの一方のみを割り当てることができる。
【０１３２】
また、移動端末１１０への電源供給があり、または移動端末１１０の電池残量が多い場合は、下り要求スループットに応じて５［Ｍｂｐｓ］を超える割当を行うことができる。また、移動端末１１０への電源供給がなく、かつ移動端末１１０の電池残量が少ない場合は、５［Ｍｂｐｓ］を上限とする割当を行うことができる。
【０１３３】
また、移動端末１１０が低速移動中または停止中である場合は、移動端末１１０が高速移動中である場合よりも、プライマリＣＣに対するセカンダリＣＣの比率が大きくなるように割り当てることができる。
【０１３４】
（実施の形態１にかかる移動端末の構成）
図１４−１は、実施の形態１にかかる移動端末の構成の一例を示す図である。図１４−２は、図１４−１に示した移動端末の構成における信号の流れの一例を示す図である。図１４−１，図１４−２に示すように、移動端末１１０は、アンテナ１４０１，１４０２と、ＬＴＥ−Ａデバイス１４１０と、ＷＬＡＮデバイス１４２０と、ＣＰＵ１４３１と、メモリ１４３２と、を備える。また、移動端末１１０は、表示部１４４１と、操作部１４４２と、マイク１４４３と、スピーカ１４４４と、電源供給検出部１４５１と、電池残量検出部１４５２と、移動速度検出部１４５３と、下り要求スループット検出部１４５４と、を備える。
【０１３５】
ＬＴＥ−Ａデバイス１４１０は、ＬＴＥ−Ａ方式の通信処理を行う通信回路である。たとえば、ＬＴＥ−Ａデバイス１４１０は、ＬＴＥ−Ａ無線部１４１１と、ＬＴＥ−Ａベースバンド部１４１２と、を有する。ＬＴＥ−Ａ無線部１４１１は、ＬＴＥ−Ａベースバンド部１４１２から出力された送信信号を、ＬＴＥ−Ａ方式によりアンテナ１４０１を介して無線送信する。また、ＬＴＥ−Ａ無線部１４１１は、ＬＴＥ−Ａ方式によりアンテナ１４０１を介して受信した受信信号をＬＴＥ−Ａベースバンド部１４１２へ出力する。
【０１３６】
ＬＴＥ−Ａベースバンド部１４１２は、ＣＰＵ１４３１から出力された送信信号のベースバンド処理を行い、ベースバンド処理を行った送信信号をＬＴＥ−Ａ無線部１４１１へ出力する。また、ＬＴＥ−Ａベースバンド部１４１２は、ＬＴＥ−Ａ無線部１４１１から出力された受信信号のベースバンド処理を行い、ベースバンド処理を行った受信信号をＣＰＵ１４３１へ出力する。
【０１３７】
ＷＬＡＮデバイス１４２０は、ＷＬＡＮ方式の通信処理を行う通信回路である。たとえば、ＷＬＡＮデバイス１４２０は、ＷＬＡＮ無線部１４２１と、ＷＬＡＮベースバンド部１４２２と、を有する。ＷＬＡＮ無線部１４２１は、ＷＬＡＮベースバンド部１４２２から出力された送信信号を、ＷＬＡＮ方式によりアンテナ１４０２を介して無線送信する。また、ＷＬＡＮ無線部１４２１は、ＷＬＡＮ方式によりアンテナ１４０２を介して受信した受信信号をＷＬＡＮベースバンド部１４２２へ出力する。
【０１３８】
ＷＬＡＮベースバンド部１４２２は、ＣＰＵ１４３１から出力された送信信号のベースバンド処理を行い、ベースバンド処理を行った送信信号をＷＬＡＮ無線部１４２１へ出力する。また、ＷＬＡＮベースバンド部１４２２は、ＷＬＡＮ無線部１４２１から出力された受信信号のベースバンド処理を行い、ベースバンド処理を行った受信信号をＣＰＵ１４３１へ出力する。
【０１３９】
ＣＰＵ１４３１（Ｃｅｎｔｒａｌ  Ｐｒｏｃｅｓｓｉｎｇ  Ｕｎｉｔ）は、移動端末１１０の全体の制御を司る。たとえば、図６に示した各ステップはＣＰＵ１４３１によって実行される。
【０１４０】
メモリ１４３２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＣＰＵ１４３１のワークエリアとして使用される。補助メモリは、たとえば磁気ディスクやフラッシュメモリなどの不揮発メモリである。補助メモリには、移動端末１１０を動作させる各種のプログラムが記憶されている。補助メモリに記憶されたプログラムは、メインメモリにロードされてＣＰＵ１４３１によって実行される。
【０１４１】
表示部１４４１は、ＣＰＵ１４３１からの制御により、移動端末１１０のユーザに対して情報を表示する。表示部１４４１は、たとえば液晶ディスプレイ等によって実現することができる。操作部１４４２は、移動端末１１０のユーザからの操作を受け付け、受け付けた内容をＣＰＵ１４３１へ通知する。操作部１４４２は、たとえばスイッチやキーなどによって実現することができる。また、タッチパネルなどによって表示部１４４１および操作部１４４２を実現してもよい。マイク１４４３は、ユーザからの音声入力を受け付け、受け付けた内容をＣＰＵ１４３１へ通知する。スピーカ１４４４は、ＣＰＵ１４３１からの制御により、移動端末１１０のユーザに対して音声を出力する。
【０１４２】
電源供給検出部１４５１は、移動端末１１０の外部からの電源供給の有無を検出する。そして、電源供給検出部１４５１は、検出結果を示すビット「ｂ６」（図７−１）を出力する。たとえば、電源供給検出部１４５１は、電源を供給する電源コネクタが移動端末１１０の端子に接続されているか否かを判定することによって電源供給の有無を検出する。
【０１４３】
電池残量検出部１４５２は、移動端末１１０の電池残量を検出する。そして、電池残量検出部１４５２は、検出結果を示すビット「ｂ５」，「ｂ４」（図７−１）を出力する。たとえば、電池残量検出部１４５２は、移動端末１１０の電池から供給される電流から電池電圧を測定することによって電池残量を検出する。
【０１４４】
移動速度検出部１４５３は、移動端末１１０の移動速度を検出する。そして、移動速度検出部１４５３は、検出結果を示すビット「ｂ３」，「ｂ２」（図７−１）を出力する。移動速度検出部１４５３は、たとえば加速度センサ等を用いて移動速度を検出する。ただし、移動速度検出部１４５３による移動速度の検出についてはこれに限らず、各種の方法を用いることができる。たとえば、移動速度検出部１４５３は、アンテナ１４０１による受信信号の周波数や位相の情報に基づいて移動速度を検出してもよい。
【０１４５】
また、移動速度検出部１４５３は、ＧＰＳ（Ｇｌｏｂａｌ  Ｐｏｓｉｔｉｏｎｉｎｇ  Ｓｙｓｔｅｍ：全地球測位システム）等により移動端末１１０の位置情報を取得し、位置情報の変化に基づいて移動速度を検出してもよい。また、移動速度検出部１４５３は、移動端末１１０の通信先の基地局の変化に基づいて移動速度を検出してもよい。
【０１４６】
下り要求スループット検出部１４５４は、移動端末１１０がネットワークに対して要求する下り通信のスループットを検出する。そして、下り要求スループット検出部１４５４は、検出結果を示すビット「ｂ１」，「ｂ０」（図７−１）を出力する。下り要求スループット検出部１４５４による下り通信のスループットの検出については後述する（たとえば図１５参照）。
【０１４７】
電源供給検出部１４５１、電池残量検出部１４５２、移動速度検出部１４５３および下り要求スループット検出部１４５４は、たとえばＣＰＵ１４３１とは別の電子回路等によって実現することができる。または、電源供給検出部１４５１、電池残量検出部１４５２、移動速度検出部１４５３および下り要求スループット検出部１４５４は、たとえばＣＰＵ１４３１がプログラムを実行することによって実現されてもよい。
【０１４８】
図１−１，図１−２に示した検出部１１１は、たとえば電源供給検出部１４５１、電池残量検出部１４５２、移動速度検出部１４５３および下り要求スループット検出部１４５４によって実現することができる。図１−１，図１−２に示した送信部１１２および受信部１１３は、たとえばアンテナ１４０１およびＬＴＥ−Ａデバイス１４１０や、アンテナ１４０２およびＷＬＡＮデバイス１４２０によって実現することができる。
【０１４９】
（下り要求スループットの検出）
図１５は、下り要求スループットの検出の一例を示す図である。図１５に示すように、たとえば、移動端末１１０は、アプリケーションクライアント１５１０と、記憶部１５２０と、下り要求スループット設定部１５３０と、を備える。アプリケーションクライアント１５１０および下り要求スループット設定部１５３０は、たとえばＣＰＵ１４３１がプログラムを実行することによって実現することができる。記憶部１５２０は、たとえばメモリ１４３２によって実現することができる。
【０１５０】
たとえば、アプリケーションクライアント１５１０は、蓄積型ストリーミングサービス（ビデオストリーミングサービス）を行うアプリケーションのクライアントである。アプリケーションクライアント１５１０においては、サーバからダウンロードするビデオデータの品質について、たとえば「ｆｏｒｍ１」〜「ｆｏｒｍ３」が選択可能である場合について説明する。アプリケーションクライアント１５１０は、選択されたフォーム（選択フォーム）を下り要求スループット設定部１５３０へ通知する。
【０１５１】
記憶部１５２０には、テーブル１５２１が記憶されている。テーブル１５２１においては、アプリケーションクライアント１５１０における選択フォームと、下り要求スループットと、が対応付けられている。図１５に示す例では、テーブル１５２１において、「ｆｏｒｍ１」〜「ｆｏｒｍ３」にはそれぞれ５［Ｍｂｐｓ］、１０［Ｍｂｐｓ］および２０［Ｍｂｐｓ］が対応付けられている。
【０１５２】
下り要求スループット設定部１５３０は、記憶部１５２０に記憶されたテーブル１５２１において、アプリケーションクライアント１５１０から通知された選択フォームに対応付けられた下り要求スループットを取得する。そして、下り要求スループット設定部１５３０は、取得した下り要求スループットを、移動端末１１０の下り要求スループットとして設定する。
【０１５３】
下り要求スループット検出部１４５４は、下り要求スループット設定部１５３０によって設定された下り要求スループットを取得することによって移動端末１１０の下り要求スループットを検出する。たとえば、アプリケーションクライアント１５１０において「ｆｏｒｍ１」が設定されている場合は、下り要求スループット設定部１５３０によって５［Ｍｂｐｓ］が下り要求スループットとして設定される。
【０１５４】
また、アプリケーションクライアント１５１０は複数あってもよく、その場合はアプリケーションクライアント１５１０のそれぞれに対応するテーブル１５２１が記憶部１５２０に記憶される。下り要求スループット設定部１５３０は、アプリケーションクライアント１５１０のそれぞれについてテーブル１５２１から下り要求スループットを取得する。そして、下り要求スループット設定部１５３０は、たとえば、取得した下り要求スループットの合計を移動端末１１０の下り要求スループットとして設定する。
【０１５５】
また、アプリケーションクライアント１５１０のサービスには、ビデオストリーミングサービスに限らず、ＶｏＩＰ（Ｖｏｉｃｅ  ｏｖｅｒ  ＩＰ）、テレビ電話、ファイル転送等の各種のサービスを適用することができる。
【０１５６】
このように、下り要求スループット検出部１４５４は、移動端末１１０（自端末）で実行可能なアプリケーションの状態と、移動端末１１０が要求するデータ量と、のテーブル１５２１（対応情報）を参照可能である。そして、下り要求スループット検出部１４５４は、テーブル１５２１に基づいて、移動端末１１０で実行中のアプリケーションの状態に対応するデータ量を検出する。
【０１５７】
（実施の形態１にかかる基地局の構成）
図１６−１は、実施の形態１にかかる基地局の構成の一例を示す図である。図１６−２は、図１６−１に示した基地局の構成における信号の流れの一例を示す図である。図１６−１，図１６−２に示す例では、上記のＥＵＴＲＡＮ４１０（制御装置１２１）が基地局１２０に設けられる場合について説明する。
【０１５８】
図１６−１，図１６−２に示すように、基地局１２０は、アンテナ１６０１と、デュプレクサ１６０２と、ＬＴＥ−Ａ受信ＲＦ部１６０３と、ＬＴＥ−Ａ受信モデム１６０４と、ユーザデータ抽出部１６０５と、ＣＱＩ抽出部１６０６と、を備える。また、基地局１２０は、イベント抽出部１６０７と、カテゴリ判定部１６０８と、下り要求スループット抽出部１６０９と、物理リソース割当制御部１６１０と、ＬＴＥ−Ａ送信モデム１６１１と、ＬＴＥ−Ａ送信ＲＦ部１６１２と、を備える。
【０１５９】
アンテナ１６０１は、移動端末１１０からの無線信号を受信し、受信信号をデュプレクサ１６０２へ出力する。また、アンテナ１６０１は、デュプレクサ１６０２から出力された移動端末１１０への送信信号を無線送信する。
【０１６０】
デュプレクサ１６０２は、アンテナ１６０１から出力された受信信号をＬＴＥ−Ａ受信ＲＦ部１６０３へ出力する。また、デュプレクサ１６０２は、ＬＴＥ−Ａ送信ＲＦ部１６１２から出力された送信信号をアンテナ１６０１へ出力する。
【０１６１】
ＬＴＥ−Ａ受信ＲＦ部１６０３は、デュプレクサ１６０２から出力されたＲＦ（Ｒａｄｉｏ  Ｆｒｅｑｕｅｎｃｙ：高周波）帯の受信信号の周波数変換を行う。周波数変換は、たとえばベースバンド帯への変換である。ＬＴＥ−Ａ受信ＲＦ部１６０３は、周波数変換を行った受信信号をＬＴＥ−Ａ受信モデム１６０４へ出力する。
【０１６２】
ＬＴＥ−Ａ受信モデム１６０４は、ＬＴＥ−Ａ受信ＲＦ部１６０３から出力された受信信号の受信処理を行うことによって受信データを得る。ＬＴＥ−Ａ受信モデム１６０４は、受信処理によって得られた受信データをユーザデータ抽出部１６０５、ＣＱＩ抽出部１６０６およびイベント抽出部１６０７へ出力する。
【０１６３】
ユーザデータ抽出部１６０５は、ＬＴＥ−Ａ受信モデム１６０４から出力された受信データの中からユーザデータを抽出して出力する。ＣＱＩ抽出部１６０６は、ＬＴＥ−Ａ受信モデム１６０４から出力された受信データの中からＣＱＩを抽出して物理リソース割当制御部１６１０へ出力する。ＣＱＩ抽出部１６０６が抽出するＣＱＩは、たとえば図１０に示した「ＣＱＩ  Ｉｎｄｅｘ」である。
【０１６４】
イベント抽出部１６０７は、ＬＴＥ−Ａ受信モデム１６０４から出力された受信データの中から「ＥｖｅｎｔＳ１」の報告情報を抽出する。イベント抽出部１６０７が抽出する報告情報は、たとえば図７−１に示したビット「ｂ６」，「ｂ５」，「ｂ４」，「ｂ３」，「ｂ２」，「ｂ１」，「ｂ０」である。イベント抽出部１６０７は、抽出した「ＥｖｅｎｔＳ１」の報告情報をカテゴリ判定部１６０８および下り要求スループット抽出部１６０９へ出力する。
【０１６５】
カテゴリ判定部１６０８は、イベント抽出部１６０７から出力された「ＥｖｅｎｔＳ１」の報告情報に基づいて、移動端末１１０の状態のカテゴリを判定する。たとえば、カテゴリ判定部１６０８は、報告情報に含まれるビット「ｂ６」，「ｂ５」，「ｂ４」，「ｂ３」，「ｂ２」に基づいてカテゴリを判定する。また、たとえば、カテゴリ判定部１６０８は、図１２に示した判定処理によってカテゴリを判定する。カテゴリ判定部１６０８は、判定したカテゴリを物理リソース割当制御部１６１０へ通知する。
【０１６６】
下り要求スループット抽出部１６０９は、イベント抽出部１６０７から出力された「ＥｖｅｎｔＳ１」の報告情報から、移動端末１１０の下り要求スループット情報を抽出する。下り要求スループット抽出部１６０９によって抽出される下り要求スループット情報は、たとえば報告情報に含まれるビット「ｂ１」，「ｂ０」である。下り要求スループット抽出部１６０９は、抽出した下り要求スループット情報を物理リソース割当制御部１６１０へ出力する。
【０１６７】
物理リソース割当制御部１６１０は、移動端末１１０へ送信する無線信号に対する物理リソースの割当を行うスケジューラである。たとえば、物理リソース割当制御部１６１０は、カテゴリ判定部１６０８から通知されたカテゴリと、下り要求スループット抽出部１６０９から出力された下り要求スループット情報と、に基づいて割り当てを行う。
【０１６８】
また、物理リソース割当制御部１６１０は、ＣＱＩ抽出部１６０６から出力されたＣＱＩが大きいサブバンドを優先的に割り当てる。たとえば、物理リソース割当制御部１６１０は、図１３に示したリソース割当処理を行う。物理リソース割当制御部１６１０は、物理リソースの割当結果をＬＴＥ−Ａ送信モデム１６１１へ通知する。
【０１６９】
ＬＴＥ−Ａ送信モデム１６１１には、送信データと、物理リソース割当制御部１６１０から出力された割当結果と、が入力される。ＬＴＥ−Ａ送信モデム１６１１は、物理リソース割当制御部１６１０から出力された割当結果に基づいて送信データに物理リソースを割り当てることにより送信信号を生成する。そして、ＬＴＥ−Ａ送信モデム１６１１は、生成した送信信号をＬＴＥ−Ａ送信ＲＦ部１６１２へ出力する。また、ＬＴＥ−Ａ送信モデム１６１１は、物理リソース割当制御部１６１０から出力された割当結果を送信信号に格納することにより、物理リソースの割当結果を移動端末１１０へ通知する。
【０１７０】
ＬＴＥ−Ａ送信ＲＦ部１６１２は、ＬＴＥ−Ａ送信モデム１６１１から出力された送信信号をＲＦ帯の送信信号に変換してデュプレクサ１６０２へ出力する。
【０１７１】
なお、ユーザデータ抽出部１６０５、ＣＱＩ抽出部１６０６、イベント抽出部１６０７、カテゴリ判定部１６０８、下り要求スループット抽出部１６０９および物理リソース割当制御部１６１０は、たとえばＣＰＵなどの電子回路によって実現することができる。
【０１７２】
このように、実施の形態１にかかる通信システム１００によれば、移動端末１１０が電池残量等の端末状態を制御装置１２１（ネットワーク側）へ通知することができる。そして、制御装置１２１が、移動端末１１０から通知された端末状態に基づいて移動端末１１０のカテゴリを判定し、判定したカテゴリに応じてダウンリンクのリソース割当を行うことができる。このため、通信リソースを効率よく使用することができる。
【０１７３】
（実施の形態２）
実施の形態２について、実施の形態１と異なる部分について説明する。実施の形態２にかかる通信システム１００においては、移動端末１１０の状態のカテゴリの判定が移動端末１１０において行われる。
【０１７４】
（実施の形態２にかかる移動端末が送信する報告情報）
図１７は、実施の形態２にかかる移動端末が送信する報告情報の一例を示す図である。移動端末１１０は、「ＥｖｅｎｔＳ１」の発生を検出した場合に、移動端末１１０の状態のカテゴリを判定する。そして、移動端末１１０は、図１７のテーブル１７００に示すビット「ｂ４」，「ｂ３」，「ｂ２」，「ｂ１」，「ｂ０」をカテゴリ情報および下り要求スループット情報を含む報告情報として送信する。
【０１７５】
移動端末１１０の状態のカテゴリを示すカテゴリ情報は、ビット「ｂ４」，「ｂ３」，「ｂ２」の３ビットで表される。移動端末１１０への送信を要求する下り要求スループットを示す下り要求スループット情報はビット「ｂ１」，「ｂ０」の２ビットで表される。
【０１７６】
図１８は、カテゴリ情報の一例を示す図である。たとえば、図１８のカテゴリ情報１８００に示すように、移動端末１１０は、カテゴリの判定結果が「Ｃａｔｅｇｏｒｙ２−２」である場合はカテゴリ情報のビット「ｂ４」，「ｂ３」，「ｂ２」をそれぞれ「１」，「０」，「０」にする。また、移動端末１１０は、カテゴリの判定結果が「Ｃａｔｅｇｏｒｙ２−１」である場合はカテゴリ情報のビット「ｂ４」，「ｂ３」，「ｂ２」をそれぞれ「０」，「１」，「１」にする。
【０１７７】
また、移動端末１１０は、カテゴリの判定結果が「Ｃａｔｅｇｏｒｙ１−２」である場合はカテゴリ情報のビット「ｂ４」，「ｂ３」，「ｂ２」をそれぞれ「０」，「１」，「０」にする。また、移動端末１１０は、カテゴリの判定結果が「Ｃａｔｅｇｏｒｙ１−１」である場合はカテゴリ情報のビット「ｂ４」，「ｂ３」，「ｂ２」をそれぞれ「０」，「０」，「１」にする。また、移動端末１１０は、カテゴリの判定結果が「Ｃａｔｅｇｏｒｙ３」である場合はカテゴリ情報のビット「ｂ４」，「ｂ３」，「ｂ２」をそれぞれ「０」，「０」，「０」にする。
【０１７８】
（カテゴリの報告およびリソース割当のプロトコルフロー）
図１９は、カテゴリの報告およびリソース割当のプロトコルフローの一例を示すシーケンス図である。まず、移動端末１１０は、移動端末１１０の状態のカテゴリを判定する（ステップＳ１９０１）。つぎに、移動端末１１０は、ステップＳ１９０１によって判定したカテゴリを示すカテゴリ情報を、Ｍｅａｓｕｒｅｍｅｎｔ  ＲｅｐｏｒｔによりＥＵＴＲＡＮ４１０へ送信する（ステップＳ１９０２）。カテゴリ情報は、たとえば図１７に示したビット「ｂ４」，「ｂ３」，「ｂ２」である。
【０１７９】
つぎに、ＥＵＴＲＡＮ４１０が、ステップＳ１９０２によって送信されたカテゴリ情報が示すカテゴリに基づくリソース割当を行う（ステップＳ１９０３）。ステップＳ１９０３のリソース割当処理は、たとえば図１３に示したリソース割当処理と同様である。
【０１８０】
つぎに、ＥＵＴＲＡＮ４１０が、ＰＤＣＣＨの無線チャネルにより、ステップＳ１９０３によるリソース割当の結果を示すリソース割当通知を移動端末１１０へ送信し（ステップＳ１９０４）、一連のプロトコルフローを終了する。
【０１８１】
この後、基地局１２０（たとえばＥＵＴＲＡＮ４１０）は、ステップＳ１９０３によるリソース割当にしたがって移動端末１１０への無線信号を送信する。これに対して、移動端末１１０は、ステップＳ１９０４によって送信されたリソース割当通知に基づいて基地局１２０からの無線信号を受信する。
【０１８２】
（実施の形態２にかかる移動端末の構成）
図２０−１は、実施の形態２にかかる移動端末の構成の一例を示す図である。図２０−２は、図２０−１に示した移動端末の構成における信号の流れの一例を示す図である。図２０−１，図２０−２において、図１４−１，図１４−２に示した部分と同様の部分については同一の符号を付して説明を省略する。
【０１８３】
図２０−１，図２０−２に示すように、実施の形態２にかかる移動端末１１０は、たとえば、図１４−１，図１４−２に示した構成に加えてカテゴリ判定部２０１０を備える。電源供給検出部１４５１、電池残量検出部１４５２および移動速度検出部１４５３は、それぞれ検出結果をカテゴリ判定部２０１０へ出力する。
【０１８４】
カテゴリ判定部２０１０は、電源供給検出部１４５１、電池残量検出部１４５２および移動速度検出部１４５３から出力された各検出結果に基づいて、移動端末１１０の状態のカテゴリを判定する。カテゴリ判定部２０１０によるカテゴリの判定処理については、たとえば、図１２に示した判定処理と同様の処理とすることができる。
【０１８５】
（実施の形態２にかかる基地局の構成）
図２１−１は、実施の形態２にかかる基地局の構成の一例を示す図である。図２１−２は、図２１−１に示した基地局の構成における信号の流れの一例を示す図である。図２１−１，図２１−２において、図１６−１，図１６−２に示した部分と同様の部分については同一の符号を付して説明を省略する。
【０１８６】
図２１−１，図２１−２に示すように、実施の形態２にかかる基地局１２０は、図１６−１，図１６−２に示したカテゴリ判定部１６０８に代えてカテゴリ抽出部２１０１を備えていてもよい。イベント抽出部１６０７は、受信データをカテゴリ抽出部２１０１および下り要求スループット抽出部１６０９へ出力する。
【０１８７】
カテゴリ抽出部２１０１は、イベント抽出部１６０７から出力された受信データの中から、カテゴリ情報を抽出する。カテゴリ抽出部２１０１が抽出するカテゴリ情報は、たとえば図１７に示したビット「ｂ４」，「ｂ３」，「ｂ２」である。カテゴリ抽出部２１０１は、抽出したカテゴリ情報を物理リソース割当制御部１６１０へ出力する。
【０１８８】
このように、実施の形態２にかかる通信システム１００によれば、移動端末１１０が電池残量等の端末状態に基づいて移動端末１１０のカテゴリを判定し、判定したカテゴリを制御装置１２１（ネットワーク側）へ通知することができる。そして、制御装置１２１が、移動端末１１０から通知されたカテゴリに応じてダウンリンクのリソース割当を行うことができる。このため、通信リソースを効率よく使用することができる。
【０１８９】
以上説明したように、通信システム、通信方法、移動端末および制御装置によれば、通信リソースを効率よく使用することができる。
【０１９０】
たとえば、たとえば図２に示したように、コンポーネントキャリア２１０およびコンポーネントキャリア２２１〜２２３を用いる８０［ＭＨｚ］が使用できるが、移動端末１１０の電池が残り少ない場合は４つの帯域の同時使用は消費電流の観点から効率的でない。一方、移動端末１１０が自宅やオフィスにいて電源供給されている場合は、移動端末１１０の電源が確保されているため８０［ＭＨｚ］の割り当ても有効となる。
【０１９１】
また、移動端末１１０の移動速度が５０［ｋｍ／ｈ］以上の場合は、移動端末１１０はセカンダリＣＣのマイクロセルのハンドオーバが頻発し、電池持ちの観点からセカンダリＣＣを多く割り当てることは効率的でない。
【０１９２】
これに対して、通信システム１００によれば、移動端末１１０が電池残量等の端末状態を制御装置１２１（ネットワーク側）へ通知することができる。そして、制御装置１２１が、移動端末１１０から通知された端末状態に応じてダウンリンクのリソース割当を行うことができる。このため、通信リソースを効率よく使用することができる。
【０１９３】
上述した各実施の形態に関し、さらに以下の付記を開示する。
【０１９４】
（付記１）第１周波数帯域のセルと、前記第１周波数帯域とは異なる第２周波数帯域のセルであって前記第１周波数帯域のセルより範囲が狭いセルと、を同時に用いて無線信号を受信可能であり、自端末への電源供給の有無および自端末の電池残量の少なくとも一方を示す状態情報を送信する移動端末と、
基地局が前記移動端末へ送信する無線信号に通信リソースを割り当て、前記移動端末によって送信された状態情報に応じて、前記第１周波数帯域および前記第２周波数帯域を前記無線信号に割り当てる第１割当処理と、前記第１周波数帯域および前記第２周波数帯域の一方を前記無線信号に割り当てる第２割当処理と、を切り替える制御装置と、
を含むことを特徴とする通信システム。
【０１９５】
（付記２）前記移動端末は、前記電源供給の有無を示す前記状態情報を送信し、
前記制御装置は、
前記電源供給がある場合は前記第１割当処理によって通信リソースを割り当て、
前記電源供給がない場合は前記第２割当処理によって通信リソースを割り当てる、
ことを特徴とする付記１に記載の通信システム。
【０１９６】
（付記３）前記移動端末は、前記電池残量を示す前記状態情報を送信し、
前記制御装置は、
前記電池残量が第１残量を上回っている場合は前記第１割当処理によって通信リソースを割り当て、
前記電池残量が前記第１残量以下の第２残量を下回っている場合は前記第２割当処理によって通信リソースを割り当てる、
ことを特徴とする付記１に記載の通信システム。
【０１９７】
（付記４）前記移動端末は、前記電源供給の有無および前記電池残量を示す前記状態情報を送信し、
前記制御装置は、
前記電源供給があり、または前記電池残量が前記第１残量を上回っている場合は前記第１割当処理によって通信リソースを割り当て、
前記電源供給がなく、かつ前記電池残量が前記第２残量を下回っている場合は前記第２割当処理によって通信リソースを割り当てる、
ことを特徴とする付記３に記載の通信システム。
【０１９８】
（付記５）前記移動端末は、前記基地局から自端末への送信を要求するデータ量を示す前記状態情報を送信し、
前記制御装置は、前記電源供給の有無および前記電池残量の少なくともいずれかに応じて、所定データ量を上限とする割当処理と、前記移動端末によって送信された前記状態情報が示すデータ量に応じて前記所定データ量を超える割り当てが可能な割当処理と、を切り替える、
ことを特徴とする付記１〜４のいずれか一つに記載の通信システム。
【０１９９】
（付記６）前記移動端末は、前記電源供給の有無を示す前記状態情報を送信し、
前記制御装置は、
前記電源供給がある場合は、前記データ量に応じて前記所定データ量を超える割り当てが可能な前記第１割当処理によって通信リソースを割り当て、
前記電源供給がない場合は、前記所定データ量を上限とする前記第２割当処理によって通信リソースを割り当てる、
ことを特徴とする付記５に記載の通信システム。
【０２００】
（付記７）前記移動端末は、前記電池残量を示す前記状態情報を送信し、
前記制御装置は、
前記電池残量が第１残量を上回っている場合は、前記データ量に応じて前記所定データ量を超える割り当てが可能な前記第１割当処理によって通信リソースを割り当て、
前記電池残量が前記第１残量以下の第２残量を下回っている場合は、前記所定データ量を上限とする前記第２割当処理によって通信リソースを割り当てる、
ことを特徴とする付記５に記載の通信システム。
【０２０１】
（付記８）前記移動端末は、前記電源供給の有無および前記電池残量を示す前記状態情報を送信し、
前記制御装置は、
前記電源供給があり、または前記電池残量が前記第１残量を上回っている場合は、前記データ量に応じて前記所定データ量を超える割り当てが可能な前記第１割当処理によって通信リソースを割り当て、
前記電源供給がなく、かつ前記電池残量が前記第２残量を下回っている場合は、前記所定データ量を上限とする前記第２割当処理によって通信リソースを割り当てる、
ことを特徴とする付記７に記載の通信システム。
【０２０２】
（付記９）前記移動端末は、自端末で実行可能なアプリケーションの状態と、自端末への送信を要求するデータ量と、の対応情報に基づいて、自端末で実行中のアプリケーションの状態に対応するデータ量を検出することを特徴とする付記５〜８のいずれか一つに記載の通信システム。
【０２０３】
（付記１０）前記移動端末は、自端末の移動速度を示す前記状態情報を送信し、
前記制御装置は、前記移動端末によって送信された前記状態情報が示す移動速度に応じて前記第１周波数帯域と前記第２周波数帯域との比率が異なるように前記無線信号に通信リソースを割り当てる、
ことを特徴とする付記１〜９のいずれか一つに記載の通信システム。
【０２０４】
（付記１１）前記制御装置は、前記移動速度が第１速度を下回っている場合は、前記移動速度が前記第１速度以上の第２速度を上回っている場合よりも、前記第１周波数帯域に対する前記第２周波数帯域の比率が大きくなるように前記無線信号に通信リソースを割り当てることを特徴とする付記１０に記載の通信システム。
【０２０５】
（付記１２）前記移動速度は、所定期間中の移動速度の平均値であることを特徴とする付記１０または１１に記載の通信システム。
【０２０６】
（付記１３）前記移動端末は、前記電源供給の有無が変化した場合に前記電源供給の有無を示す前記状態情報を送信することを特徴とする付記１に記載の通信システム。
【０２０７】
（付記１４）前記移動端末は、前記電池残量が異なる複数の残量範囲のいずれに含まれるかを判定し、判定結果が変化した場合に前記電池残量を示す前記状態情報を送信することを特徴とする付記１〜１３のいずれか一つに記載の通信システム。
【０２０８】
（付記１５）前記移動端末は、前記要求するデータ量が異なる複数の量範囲のいずれに含まれるかを判定し、判定結果が変化した場合に前記状態情報を送信することを特徴とする付記５〜９のいずれか一つに記載の通信システム。
【０２０９】
（付記１６）前記移動端末は、前記移動速度が異なる複数の速度範囲のいずれに含まれるかを判定し、判定結果が変化した場合に前記状態情報を送信することを特徴とする付記１０〜１２のいずれか一つに記載の通信システム。
【０２１０】
（付記１７）前記移動端末は、前記基地局との通信開始時に前記状態情報を送信することを特徴とする付記１〜１６のいずれか一つに記載の通信システム。
【０２１１】
（付記１８）前記移動端末は、周期的に前記状態情報を送信することを特徴とする付記１〜１７のいずれか一つに記載の通信システム。
【０２１２】
（付記１９）第１周波数帯域のセルと、前記第１周波数帯域とは異なる第２周波数帯域のセルであって前記第１周波数帯域のセルより範囲が狭いセルと、を同時に用いて無線信号を受信可能な移動端末が、自端末への電源供給の有無および自端末の電池残量の少なくとも一方を示す状態情報を送信し、
基地局が前記移動端末へ送信する無線信号に通信リソースを割り当てる制御装置が、前記移動端末によって送信された状態情報に応じて、前記第１周波数帯域および前記第２周波数帯域を前記無線信号に割り当てる第１割当処理と、前記第１周波数帯域および前記第２周波数帯域の一方を前記無線信号に割り当てる第２割当処理と、を切り替える、
ことを特徴とする通信方法。
【０２１３】
（付記２０）自端末への電源供給の有無および自端末の電池残量の少なくとも一方を検出する検出部と、
前記検出部による検出結果を示す状態情報を、基地局が自端末へ送信する無線信号に通信リソースを割り当てる制御装置へ送信する送信部と、
第１周波数帯域のセルと、前記第１周波数帯域とは異なる第２周波数帯域のセルであって前記第１周波数帯域のセルより範囲が狭いセルと、を同時に用いて無線信号を受信可能であり、前記送信部によって送信された状態情報に応じて前記制御装置によって割り当てられた通信リソースによって前記基地局から送信された無線信号を受信する受信部と、
を備えることを特徴とする移動端末。
【０２１４】
（付記２１）第１周波数帯域のセルと、前記第１周波数帯域とは異なる第２周波数帯域のセルであって前記第１周波数帯域のセルより範囲が狭いセルと、を同時に用いて無線信号を受信可能な移動端末から、前記移動端末への電源供給の有無および前記移動端末の電池残量の少なくとも一方を示す状態情報を受信する受信部と、
基地局が前記移動端末へ送信する無線信号に通信リソースを割り当て、前記受信部によって受信された状態情報に応じて、前記第１周波数帯域および前記第２周波数帯域を前記無線信号に割り当てる第１割当処理と、前記第１周波数帯域および前記第２周波数帯域の一方を前記無線信号に割り当てる第２割当処理と、を切り替える割当部と、
を備えることを特徴とする制御装置。
【符号の説明】
【０２１５】
１００  通信システム
１１０  移動端末
１１１  検出部
１１２  送信部
１１３，１２２  受信部
１２０  基地局
１２１  制御装置
１２３  割当部
１３１，１３２  セル
１３３  セル群
２１０，２２１〜２２３  コンポーネントキャリア
３１０  フレーム
３２０  サブフレーム
３２１  プライマリ同期信号
３２２  セカンダリ同期信号
３２３  ＰＢＣＨ
３２４  ＰＤＣＣＨ
３２５  ＰＤＳＣＨ
３２６  リファレンス信号
３３０  スロット
４１０  ＥＵＴＲＡＮ
５００，７１０，７２０，７３０，７４０，７５０，１５２１，１７００  テーブル
９１０  ダウンリンクフレーム
９１１  ＣＳＩ−ＲＳ
９２０  アップリンクフレーム
９２１  ＣＱＩ
１０００  ＣＱＩテーブル
１４０１，１４０２，１６０１  アンテナ
１４１０  ＬＴＥ−Ａデバイス
１４１１  ＬＴＥ−Ａ無線部
１４１２  ＬＴＥ−Ａベースバンド部
１４２０  ＷＬＡＮデバイス
１４２１  ＷＬＡＮ無線部
１４２２  ＷＬＡＮベースバンド部
１４３１  ＣＰＵ
１４３２  メモリ
１４４１  表示部
１４４２  操作部
１４４３  マイク
１４４４  スピーカ
１４５１  電源供給検出部
１４５２  電池残量検出部
１４５３  移動速度検出部
１４５４  下り要求スループット検出部
１５１０  アプリケーションクライアント
１５２０  記憶部
１５３０  下り要求スループット設定部
１６０２  デュプレクサ
１６０３  ＬＴＥ−Ａ受信ＲＦ部
１６０４  ＬＴＥ−Ａ受信モデム
１６０５  ユーザデータ抽出部
１６０６  ＣＱＩ抽出部
１６０７  イベント抽出部
１６０８，２０１０  カテゴリ判定部
１６０９  下り要求スループット抽出部
１６１０  物理リソース割当制御部
１６１１  ＬＴＥ−Ａ送信モデム
１６１２  ＬＴＥ−Ａ送信ＲＦ部
２１０１  カテゴリ抽出部
【図１−１】
2014183409.tif 000003
【図１−２】
2014183409.tif 000004
【図１−３】
2014183409.tif 000005
【図２】
2014183409.tif 000006
【図３】
2014183409.tif 000007
【図４】
2014183409.tif 000008
【図５】
2014183409.tif 000009
【図６】
2014183409.tif 000010
【図７−１】
2014183409.tif 000011
【図７−２】
2014183409.tif 000012
【図７−３】
2014183409.tif 000013
【図７−４】
2014183409.tif 000014
【図７−５】
2014183409.tif 000015
【図８】
2014183409.tif 000016
【図９−１】
2014183409.tif 000017
【図９−２】
2014183409.tif 000018
【図１０】
2014183409.tif 000019
【図１１】
2014183409.tif 000020
【図１２】
2014183409.tif 000021
【図１３】
2014183409.tif 000022
【図１４−１】
2014183409.tif 000023
【図１４−２】
2014183409.tif 000024
【図１５】
2014183409.tif 000025
【図１６−１】
2014183409.tif 000026
【図１６−２】
2014183409.tif 000027
【図１７】
2014183409.tif 000028
【図１８】
2014183409.tif 000029
【図１９】
2014183409.tif 000030
【図２０−１】
2014183409.tif 000031
【図２０−２】
2014183409.tif 000032
【図２１−１】
2014183409.tif 000033
【図２１−２】
2014183409.tif 000034